(57)【要約】【課題】本発明は、各種溶媒に対する耐薬品性、および耐熱性に優れたカラーフィルタを製造することができるインクジェット用インク、このようなインクジェット用インクにより得られるカラーフィルタ、カラーフィルタの製造方法、ならびに画像表示デバイスを提供することを目的とする。【解決手段】少なくとも１種の一般式（１）で表される染料、溶媒および重合性モノマーを含有するインクジェット用インク。  【化１】2010037545.tif 000111（一般式（１）中、Ｐは重合性基を表す。Ｌ１は、２価の連結基または単なる結合手を表す。Ｄｙｅは、一般式（２）、一般式（３−ａ）、一般式（３−ｂ）、一般式（３−ｃ）、一般式（３−ｄ）、一般式（３−ｅ）、一般式（３−ｆ）、一般式（４）、一般式（５）、一般式（６）または一般式（７）のいずれかで表される染料の可能な位置からｎ個の水素原子を除いた色素残基を表す。ｎは、１〜８の整数を表す。）【選択図】なし【特許請求の範囲】
【請求項１】
少なくとも１種の一般式（１）で表される染料、溶媒および重合性モノマーを含有するインクジェット用インク。
【化１】
2010037545.tif 000099
（一般式（１）中、Ｐは重合性基を表す。Ｌ１は、２価の連結基または単なる結合手を表す。Ｄｙｅは、一般式（２）、一般式（３−ａ）、一般式（３−ｂ）、一般式（３−ｃ）、一般式（３−ｄ）、一般式（３−ｅ）、一般式（３−ｆ）、一般式（４）、一般式（５）、一般式（６）または一般式（７）のいずれかで表される染料からｎ個の水素原子を除いた色素残基を表す。ｎは、１〜８の整数を表す。）
【化２】
2010037545.tif 000100
（一般式（２）中、Ｒ１〜Ｒ４は、それぞれ独立に、アルキル基、アルケニル基、アリール基、またはヘテロ環基を表す。ｗ、ｘ、ｙ、およびｚは、それぞれ独立に、０〜４の整数を表す。ただし、ｗ，ｘ、ｙ、およびｚの総和（ｗ＋ｘ＋ｙ＋ｚ）は０ではない。Ｚ１〜Ｚ４は、それぞれ独立に、炭素原子、窒素原子から選ばれる原子群で、結合している２個の炭素原子と共に構成される５員環または６員環を形成する原子群を表す。Ｍ１は金属原子、または金属酸化物を表す。）
【化３】
2010037545.tif 000101
（一般式（３−ａ）中、Ｒ３０は水素原子または置換基を表す。Ｒ３１は、水素原子、アルキル基、アルケニル基、アリール基、ヘテロ環基、アシル基、アルコキシカルボニル基、またはカルバモイル基を表す。Ｘ３０は、−ＯＭ基、または−Ｎ（Ｒ３２）（Ｒ３３）を表し、Ｍは、水素原子、アルキル基、または、電荷を中和する為に必要な金属原子若しくは有機塩基対を表し、Ｒ３２およびＲ３３は、それぞれ独立に、水素原子、アルキル基、アルケニル基、アリール基、ヘテロ環基、アシル基、アルコキシカルボニル基、またはカルバモイル基を表す。Ａ３０は、アリール基、または芳香族ヘテロ環基を表す。）
【化４】
2010037545.tif 000102
（一般式（３−ｂ）中、Ｒ３４は水素原子または置換基を表す。Ｒ３５は、水素原子、アルキル基、アルケニル基、アリール基、ヘテロ環基、アシル基、アルコキシカルボニル基、またはカルバモイル基を表す。Ｚ３０およびＺ３１は、それぞれ独立に、−Ｃ（Ｒ３６）＝または−Ｎ＝を表し、Ｒ３６は水素原子または置換基を表す。Ａ３１は、アリール基または芳香族ヘテロ環基を表す。）
【化５】
2010037545.tif 000103
（一般式（３−ｃ）中、Ｒ３７、Ｒ３８、Ｒ３９およびＲ４０は、それぞれ独立に、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３２、Ｚ３３およびＺ３４は、それぞれ独立に、−Ｃ（Ｒ４１）＝または−Ｎ＝を表す。Ｒ４１は、水素原子または置換基を表す。Ａ３２は、アリール基または芳香族ヘテロ環基を表す。）
【化６】
2010037545.tif 000104
（一般式（３−ｄ）中、Ｒ４２は、水素原子、アルキル基、アルケニル基、アリール基、またはヘテロ環基を表す。Ｒ４３およびＲ４４は、それぞれ独立に、水素原子または置換基を表す。Ａ３３は、アリール基または芳香族ヘテロ環基を表す。）
【化７】
2010037545.tif 000105
（一般式（３−ｅ）中、Ｒ４５、Ｒ４６、およびＲ４７は、それぞれ独立に、水素原子または置換基を表す。ａおよびｂは、それぞれ独立に０〜４の整数を表す。）
【化８】
2010037545.tif 000106
（一般式（３−ｆ）中、Ｒ４８およびＲ４９は、それぞれ独立に、水素原子または置換基を表す。Ｒ５０は、水素原子、ハロゲン原子、アルキル基、またはアリール基を表す。Ｒ５１は、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３５、Ｚ３６、Ｚ３７、およびＺ３８は、それぞれ独立に、−Ｃ（Ｒ５２）＝または−Ｎ＝を表し、Ｒ５２は水素原子または置換基を表す。）
【化９】
2010037545.tif 000107
（一般式（４）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。）
【化１０】
2010037545.tif 000108
（一般式（５）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。Ｍａは、金属原子または金属化合物を表す。Ｘ２は、Ｍａの電荷を中和する為に必要な基を表し、Ｘ１は、Ｍａに結合可能な基を表す。Ｘ１とＸ２は、互いに結合して５員、６員、または７員の環を形成していてもよい。）
【化１１】
2010037545.tif 000109
（一般式（６）中、Ｒ２１〜Ｒ２６は、それぞれ独立に、水素原子、または置換基を表す。Ｒ２７は、水素原子、ハロゲン原子、アルキル基、アリール基、またはヘテロ環基を表す。Ｘ１およびＹ１は、それぞれ独立に、ハロゲン原子、アルコキシ基、アリールオキシ基、水酸基、アルキルチオ基、アリールチオ基、またはヘテロ環チオ基を表す。）
【化１２】
2010037545.tif 000110
（一般式（７）中、ＺａおよびＺｂは、それぞれ独立に、−Ｎ＝または−Ｃ（Ｒ８）＝を表す。Ｒ１〜Ｒ５およびＲ８は、それぞれ独立に、水素原子または置換基を表す。Ｒ６〜Ｒ７は、それぞれ独立に、水素原子、アルキル基、アルケニル基、アリール基、またはヘテロ環基を表す。Ｒ２とＲ３、Ｒ３とＲ６、Ｒ４とＲ５、Ｒ５とＲ７、および／またはＲ６とＲ７とが互いに結合して、それぞれ独立に、５員環、６員環、または７員環を形成してもよい。）
【請求項２】
前記一般式（１）中のＰが、エポキシ基、アクリロイルオキシ基、メタクリロイルオキシ基、アクリロイルアミド基、およびメタクリロイルアミド基からなる群から選択されるいずれかである請求項１に記載のインクジェット用インク。
【請求項３】
界面活性剤をさらに含有する請求項１または２に記載のインクジェット用インク。
【請求項４】
２５℃における粘度が２〜３０ｍＰａ・ｓである請求項１〜３のいずれかに記載のインクジェット用インク。
【請求項５】
２５℃における表面張力が２０〜４０ｍＮ／ｍである請求項１〜４のいずれかに記載のインクジェット用インク。
【請求項６】
基板上に形成された隔壁により区画された凹部にインクジェット法により請求項１〜５のいずれかに記載のインクジェット用インクの液滴を付与してカラーフィルタの色画素を形成する画素形成工程を有するカラーフィルタの製造方法。
【請求項７】
請求項１〜５のいずれかに記載のインクジェット用インクを用いてインクジェット法により製造されるカラーフィルタ。
【請求項８】
請求項７に記載のカラーフィルタを備える液晶ディスプレイ。
【請求項９】
請求項７に記載のカラーフィルタを備える画像表示デバイス。
【発明の詳細な説明】
【技術分野】
【０００１】
本発明は、インクジェット用インク、カラーフィルタおよびその製造方法、ならびにそれを用いる液晶ディスプレイおよび画像表示デバイスに関する。
【背景技術】
【０００２】
近年、パーソナルコンピュータ、特に大画面液晶テレビの発達に伴い、液晶ディスプレイ（ＬＣＤ）、とりわけカラー液晶ディスプレイの需要が増加する傾向にある。一方で、カラー液晶ディスプレイが高価であることから、コストダウンの要求が高まっている。特にコスト的に比重の高いカラーフィルタに対するコストダウンの要求が高い。このようなカラーフィルタは、通常、赤（Ｒ）、緑（Ｇ）、および青（Ｂ）の３原色の着色パターンを備える。このカラーフィルタを備える液晶ディスプレイにおいては、Ｒ、Ｇ、およびＢのそれぞれの画素に対応する電極をＯＮ、ＯＦＦさせることで液晶がシャッタとして作動し、Ｒ、Ｇ、およびＢのそれぞれの画素を光が通過してカラー表示が行われる。
【０００３】
近年、このカラーフィルタの製造方法として、インクジェット法で着色インクを吹き付けして着色層（色画素）を形成する方法が提案されている（特許文献１）。インクジェット法は、非常に微細なノズルからインク液滴を記録部材に直接吐出、付着させて、文字や画像を得る記録方式である。インクジェット法は、インクジェットヘッドを順次移動させることにより、大面積のカラーフィルタを高生産性で製造でき、低騒音で操作性がよいという利点をもつ。
【０００４】
また、インクジェット用のインクとしては、主に、顔料を含むインクが提案されていた。しかし、顔料を使用した場合は、顔料粒子による散乱のためコントラストの低下や、ヘイズの増加といった問題が生じていた。そこで、顔料の代わりに染料を用いる技術が提案されている（特許文献２）。染料を使用したインクの場合、カラーフィルタのコントラストやヘイズなど光学特性の向上が期待される。また、概して吐出安定性も高く、インク粘度の増加などに伴うノズル目詰まりがあった場合でも、ワイピングやパージにより容易にインク吐出状態が回復することが期待される。
【０００５】
このような染料を含むインクジェット用インクを用いたカラーフィルタの製造方法としては、まず基板であるガラスの洗浄を行い、次に基板上に各色の着色層の隔壁となるブラックマトリックスを形成する。次に、基板上に形成されたブラックマトリックスの隔壁により区画された凹部に液滴として各色のインクを付与して着色層（色画素）を形成する。その後、ＩＴＯなどの透明電極、配向膜などの各種構成部材を順次積層させる。このようにカラーフィルタの製造方法は非常に多工程にわたっている。そのため、基板上への各種材料の塗布や洗浄などの工程で、基板上に形成された色画素は、各工程で使用される酸やアルカリなどの各種溶媒と接触する。その際、色画素から染料などが溶出し、色画素の色相変化が起こるなどの問題があった。
このような課題を解決する一つの方法として、色画素形成後、オーバーコート層を作製する方法が提案されているが、必ずしも実用上満足いくものではなかった。また、オーバーコート層を作製する場合、製造工程の増加に伴い、製造手順が煩雑になり生産性が低下するともに、コスト面の点でも問題を抱えていた。
【先行技術文献】
【特許文献】
【０００６】
【特許文献１】特開平８−１４６２１５号公報
【特許文献２】特開平６−７５３７５号公報
【発明の概要】
【発明が解決しようとする課題】
【０００７】
本発明は、上記事情に鑑みてなされたものであり、その目的は、良好な色相を呈し、耐熱性に優れた色画素を形成することができ、特に、各種溶媒に対する耐薬品性に優れたカラーフィルタを製造することができるインクジェット用インク、このようなインクジェット用インクにより得られる光学特性、耐光性や耐熱性などの特性に優れたカラーフィルタ、およびこのような特性を持つカラーフィルタを安定して、コストアップを招くことなく製造することができるカラーフィルタの製造方法、ならびに高輝度バックライトに対応できる、高コントラスト、高彩度の液晶ディスプレイおよび画像表示デバイスを提供することにある。
【課題を解決するための手段】
【０００８】
本発明者らは、鋭意検討を行った結果、各色インクジェット用インクに重合性基を導入した染料を用いることにより、カラーフィルタの製造工程を増加させることなく、各色のカラーフィルタの各種溶媒に対する耐性（耐薬品性）を付与でき、あわせてカラーフィルタの耐熱性も向上することを見出した。
【０００９】
つまり、本発明者らは、上記課題が下記の＜１＞〜＜１８＞の構成により解決されることを見出した。
【００１０】
＜１＞  少なくとも１種の一般式（１）で表される染料、溶媒および重合性モノマーを含有するインクジェット用インク。
【００１１】
【化１】
2010037545.tif 000002
【００１２】
（一般式（１）中、Ｐは重合性基を表す。Ｌ１は、２価の連結基または単なる結合手を表す。Ｄｙｅは、下記一般式（２）、一般式（３−ａ）、一般式（３−ｂ）、一般式（３−ｃ）、一般式（３−ｄ）、一般式（３−ｅ）、一般式（３−ｆ）、一般式（４）、一般式（５）または一般式（６）のいずれかで表される染料からｎ個の水素原子を除いた色素残基を表す。ｎは、１〜８の整数を表す。）
【００１３】
【化２】
2010037545.tif 000003
【００１４】
（一般式（２）中、Ｒ１〜Ｒ４は、それぞれ独立に、アルキル基、アルケニル基、アリール基、またはヘテロ環基を表す。ｗ、ｘ、ｙ、およびｚは、それぞれ独立に、０〜４の整数を表す。ただし、ｗ，ｘ、ｙ、およびｚの総和（ｗ＋ｘ＋ｙ＋ｚ）は０ではない。Ｚ１〜Ｚ４は、それぞれ独立に、炭素原子、窒素原子から選ばれる原子群で、結合している２個の炭素原子と共に構成される５員環または６員環を形成する原子群を表す。Ｍ１は金属原子、または金属酸化物を表す。）
【００１５】
【化３】
2010037545.tif 000004
【００１６】
（一般式（３−ａ）中、Ｒ３０は水素原子または置換基を表す。Ｒ３１は、水素原子、アルキル基、アルケニル基、アリール基、ヘテロ環基、アシル基、アルコキシカルボニル基、またはカルバモイル基を表す。Ｘ３０は、−ＯＭ基、または−Ｎ（Ｒ３２）（Ｒ３３）を表し、Ｍは、水素原子、アルキル基、または、電荷を中和する為に必要な金属原子若しくは有機塩基対を表し、Ｒ３２およびＲ３３は、それぞれ独立に、水素原子、アルキル基、アルケニル基、アリール基、ヘテロ環基、アシル基、アルコキシカルボニル基、またはカルバモイル基を表す。Ａ３０は、アリール基、または芳香族ヘテロ環基を表す。）
【００１７】
【化４】
2010037545.tif 000005
【００１８】
（一般式（３−ｂ）中、Ｒ３４は水素原子または置換基を表す。Ｒ３５は、水素原子、アルキル基、アルケニル基、アリール基、ヘテロ環基、アシル基、アルコキシカルボニル基、またはカルバモイル基を表す。Ｚ３０およびＺ３１は、それぞれ独立に、−Ｃ（Ｒ３６）＝または−Ｎ＝を表し、Ｒ３６は水素原子または置換基を表す。Ａ３１は、アリール基または芳香族ヘテロ環基を表す。）
【００１９】
【化５】
2010037545.tif 000006
【００２０】
（一般式（３−ｃ）中、Ｒ３７、Ｒ３８、Ｒ３９およびＲ４０は、それぞれ独立に、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３２、Ｚ３３およびＺ３４は、それぞれ独立に、−Ｃ（Ｒ４１）＝または−Ｎ＝を表す。Ｒ４１は、水素原子または置換基を表す。Ａ３２は、アリール基または芳香族ヘテロ環基を表す。）
【００２１】
【化６】
2010037545.tif 000007
【００２２】
（一般式（３−ｄ）中、Ｒ４２は、水素原子、アルキル基、アルケニル基、アリール基、またはヘテロ環基を表す。Ｒ４３およびＲ４４は、それぞれ独立に、水素原子または置換基を表す。Ａ３３は、アリール基または芳香族ヘテロ環基を表す。）
【００２３】
【化７】
2010037545.tif 000008
【００２４】
（一般式（３−ｅ）中、Ｒ４５、Ｒ４６、およびＲ４７は、それぞれ独立に、水素原子または置換基を表す。ａおよびｂは、それぞれ独立に０〜４の整数を表す。）
【００２５】
【化８】
2010037545.tif 000009
【００２６】
（一般式（３−ｆ）中、Ｒ４８およびＲ４９は、それぞれ独立に、水素原子または置換基を表す。Ｒ５０は、水素原子、ハロゲン原子、アルキル基、またはアリール基を表す。Ｒ５１は、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３５、Ｚ３６、Ｚ３７、およびＺ３８は、それぞれ独立に、−Ｃ（Ｒ５２）＝または−Ｎ＝を表し、Ｒ５２は水素原子または置換基を表す。）
【００２７】
【化９】
2010037545.tif 000010
【００２８】
（一般式（４）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。）
【００２９】
【化１０】
2010037545.tif 000011
【００３０】
（一般式（５）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。Ｍａは、金属原子または金属化合物を表す。Ｘ２は、Ｍａの電荷を中和する為に必要な基を表し、Ｘ１は、Ｍａに結合可能な基を表す。Ｘ１とＸ２は、互いに結合して５員、６員、または７員の環を形成していてもよい。）
【００３１】
【化１１】
2010037545.tif 000012
【００３２】
（一般式（６）中、Ｒ２１〜Ｒ２６は、それぞれ独立に、水素原子、または置換基を表す。Ｒ２７は、水素原子、ハロゲン原子、アルキル基、アリール基、またはヘテロ環基を表す。Ｘ１およびＹ１は、それぞれ独立に、ハロゲン原子、アルコキシ基、アリールオキシ基、水酸基、アルキルチオ基、アリールチオ基、またはヘテロ環チオ基を表す。）
【００３３】
【化１２】
2010037545.tif 000013
（一般式（７）中、ＺａおよびＺｂは、それぞれ独立に、−Ｎ＝または−Ｃ（Ｒ８）＝を表す。Ｒ１〜Ｒ５およびＲ８は、それぞれ独立に、水素原子または置換基を表す。Ｒ６〜Ｒ７は、それぞれ独立に、水素原子、アルキル基、アルケニル基、アリール基、またはヘテロ環基を表す。Ｒ２とＲ３、Ｒ３とＲ６、Ｒ４とＲ５、Ｒ５とＲ７、および／またはＲ６とＲ７とが互いに結合して、それぞれ独立に、５員環、６員環、または７員環を形成してもよい。）
【００３４】
＜２＞  前記一般式（１）中のＰが、エポキシ基、アクリロイルオキシ基、メタクリロイルオキシ基、アクリロイルアミド基、およびメタクリロイルアミド基からなる群から選択されるいずれかである＜１＞に記載のインクジェット用インク。
＜３＞  界面活性剤をさらに含有する＜１＞または＜２＞に記載のインクジェット用インク。
＜４＞  吐出時における粘度が２〜３０ｍＰａ・ｓである＜１＞〜＜３＞のいずれかに記載のインクジェット用インク。
＜５＞  ２５℃における表面張力が２０〜４０ｍＮ／ｍである＜１＞〜＜４＞のいずれかに記載のインクジェット用インク。
＜６＞  基板上に形成された隔壁により区画された凹部にインクジェット法により＜１＞〜＜５＞のいずれかに記載のインクジェット用インクの液滴を付与してカラーフィルタの色画素を形成する画素形成工程を有するカラーフィルタの製造方法。
＜７＞  前記画素形成工程は、前記インクジェット法により液滴として前記凹部に前記インクを付与する描画工程と、前記凹部に付与された前記インクを硬化させて前記色画素を形成する硬化工程とを有する＜６＞に記載のカラーフィルタの製造方法。
＜８＞  前記硬化工程は、前記インクに含まれる溶剤を除去してインク残部とした後に、前記インク残部に活性エネルギー線を照射する照射工程および／または前記インク残部を加熱する加熱工程とを備え、前記照射工程および／または前記加熱工程により前記インク残部を重合して前記色画素を形成する＜７＞に記載のカラーフィルタの製造方法。
＜９＞  ＜６＞〜＜８＞のいずれかに記載のカラーフィルタの製造方法により製造されるカラーフィルタ。
＜１０＞  ＜１＞〜＜５＞のいずれかに記載のインクジェット用インクを用いて形成された色画素を備えるカラーフィルタ。
＜１１＞  ＜９＞または＜１０＞に記載のカラーフィルタを備える液晶ディスプレイ。
＜１２＞  ＜９＞または＜１０＞に記載のカラーフィルタを備える画像表示デバイス。
【発明の効果】
【００３５】
本発明によれば、良好な色相を呈し、耐熱性に優れた色画素を形成することができ、特に、各種溶媒に対する耐薬品性に優れたカラーフィルタを製造することができるインクジェット用インク、このようなインクジェット用インクにより得られる光学特性、耐光性や耐熱性などの特性に優れたカラーフィルタ、およびこのような特性を持つカラーフィルタを安定して、コストアップを招くことなく製造することができるカラーフィルタの製造方法、ならびに高輝度バックライトに対応できる、高コントラスト、高彩度の液晶ディスプレイおよび画像表示デバイスを提供することができる。
【図面の簡単な説明】
【００３６】
【図１】本発明のカラーフィルタの製造方法の一実施形態における製造工程を示すフローチャートである。
【図２】（ａ）〜（ｆ）は、それぞれ本発明のカラーフィルタの製造方法における基板からカラーフィルタに至る製造工程順に示す基板およびカラーフィルタの模式的断面図である。
【発明を実施するための形態】
【００３７】
以下、本発明に係るインクジェット用インク、このインクジェットインクを用いたカラーフィルタおよびその製造方法、ならびにそれを用いる液晶ディスプレイおよび画像表示デバイスについて詳細に説明する。
【００３８】
＜インクジェット用インクおよびその製造方法＞
まず、本発明のインクジェット用インク、その構成成分およびその製造方法について詳細に説明する。
本発明のインクジェット用インクは、少なくとも１種の一般式（１）で表される染料、溶媒および重合性モノマーを含有する。該染料は、少なくとも一つの重合性基を有する染料である。
【００３９】
【化１３】
2010037545.tif 000014
【００４０】
一般式（１）中、Ｐは重合性基を表す。重合性基としては、熱または活性エネルギー線の照射により重合が進行し、高分子量体を形成する官能基であれば特に制限は無く、例えば、ラジカル重合性基、カチオン重合性基、アニオン重合性基などが挙げられる。なかでも、重合反応性および材料の入手し易さなどの観点から、ラジカル重合性基またはカチオン重合性基が好ましく、さらに好ましくは高極性環状エーテル基、アクリロイルオキシ基、メタクリロイルオキシ基、アリル基、アクリロイルアミド基、メタクリロイルアミド基、であり、特にエポキシ基、アクリロイルオキシ基、メタクリロイルオキシ基、スチリル基が好ましい。
【００４１】
一般式（１）中、Ｌ１は２価の連結基または単なる結合手を表す。連結基としては、特に限定はされず、一般式（１）で表される染料の物質特性の観点、および合成上の観点より適宜最適な基が選択される。具体的に、アルキレン基（炭素数１〜２０が好ましく、炭素数１〜１０がより好ましい。例えば、メチレン基、エチレン基、プロピレン基、ブチレン基、ペンチレン基、ヘキシレン基などが挙げられる。）、−Ｏ−、−Ｓ−、アリーレン基（フェニレン基など）、−ＣＯ−、−ＮＨ−、−ＳＯ２−、−ＣＯＯ−、−ＣＯＮＨ−、−Ｃ≡Ｃ−、−Ｎ＝Ｎ−、−ＣＯＮＲ−（Ｒはアルキル基を表す）またはこれらを組み合わせた基（例えば、アルキレンオキシ基、アルキレンオキシカルボニル基、アルキレンカルボニルオキシ基などが挙げられる。）が挙げられる。なかでも、−Ｏ−、アルキレン基、−ＣＯＮＨ−、−ＣＯＯ−、アリーレン基、アルキレンオキシ基、アルキレンオキシカルボニル基、アルキレンカルボニルオキシ基、またはこれらを組み合わせた基が好ましく挙げられる。Ｌ１が単なる結合手の場合、一般式（１）のＰがＤｙｅと直接結合することをさす。
【００４２】
一般式（１）中、ｎは、１〜８の整数を表し、好ましくは１〜６であり、より好ましくは１〜４である。上記範囲内であれば、合成工程の煩雑さと各種溶媒に対する耐溶媒性の両立が可能である。
【００４３】
一般式（１）中、Ｄｙｅは色素残基を表し、具体的には、下記一般式（２）、一般式（３−ａ）、一般式（３−ｂ）、一般式（３−ｃ）、一般式（３−ｄ）、一般式（３−ｅ）、一般式（３−ｆ）、一般式（４）、一般式（５）、一般式（６）または一般式（７）のいずれかで表される染料の任意の可能な位置からｎ個の水素原子を除いた色素残基を表す。色素残基とは、染料を示す構造式中の任意の位置から水素原子がｎ個引き抜かれ、他の化合物に結合可能な構造の基をいう。
【００４４】
＜一般式（２）＞
一般式（１）で表される染料として、一般式（１）中のＤｙｅが下記一般式（２）で表される構造式の染料から任意の水素原子がｎ個外れた色素残基である染料が挙げられる。該染料では、例えば、一般式（２）中のＲ１〜Ｒ４から水素原子が取り除かれる。一般式（２）中のＲ１〜Ｒ４のうちの少なくとも一つに、一般式（１）中の−（Ｌ１−Ｐ）基が結合していることが好ましい。
【００４５】
【化１４】
2010037545.tif 000015
【００４６】
一般式（２）および後述する一般式（２−１）の各基の説明において「置換基」は、ハロゲン原子（例えば、フッ素原子、塩素原子、臭素原子、ヨウ素原子）、アルキル基（好ましくは炭素数１〜４８、より好ましくは炭素数１〜２４の、直鎖、分岐鎖、または環状のアルキル基で、例えば、メチル、エチル、プロピル、イソプロピル、ブチル、ｔ−ブチル、ペンチル、ヘキシル、ヘプチル、オクチル、２−エチルヘキシル、ドデシル、ヘキサデシル、シクロプロピル、シクロペンチル、シクロヘキシル、１−ノルボルニル、１−アダマンチル）、アルケニル基（好ましくは炭素数２〜４８、より好ましくは炭素数２〜１８のアルケニル基で、例えば、ビニル、アリル、３−ブテン−１−イル）、アリール基（好ましくは炭素数６〜４８、より好ましくは炭素数６〜２４のアリール基で、例えば、フェニル、ナフチル）、ヘテロ環基（好ましくは炭素数１〜３２、より好ましくは炭素数１〜１８のヘテロ環基で、例えば、チオフェン環、ピリジン環、フラン環、ピリミジン環、ベンゾトリアゾール環、ピラゾール環、イミダゾール環、チアゾール環、イソチアゾール環、オキサゾール環、チアジアゾール環、トリアゾール環、ベンゾチアゾール環、ベンゾオキサゾール環、ベンゾイソチアゾール環、ベンゾイミダゾール環、より具体的には、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、シリル基（好ましくは炭素数３〜３８、より好ましくは炭素数３〜１８のシリル基で、例えば、トリメチルシリル、トリエチルシリル、トリブチルシリル、ｔ−ブチルジメチルシリル、ｔ−ヘキシルジメチルシリル）、ヒドロキシル基、シアノ基、ニトロ基、カルボキシル基、アルコキシ基（好ましくは炭素数１〜４８、より好ましくは炭素数１〜２４のアルコキシ基で、例えば、メトキシ、エトキシ、１−ブトキシ、２−ブトキシ、イソプロポキシ、ｔ−ブトキシ、ドデシルオキシ、シクロアルキルオキシ基で、例えば、シクロペンチルオキシ、シクロヘキシルオキシ）、アリールオキシ基（好ましくは炭素数６〜４８、より好ましくは炭素数６〜２４のアリールオキシ基で、例えば、フェノキシ、１−ナフトキシ）、ヘテロ環オキシ基（好ましくは炭素数１〜３２、より好ましくは炭素数１〜１８のヘテロ環オキシ基で、例えば、１−フェニルテトラゾール−５−オキシ、２−テトラヒドロピラニルオキシ）、シリルオキシ基（好ましくは炭素数１〜３２、より好ましくは炭素数１〜１８のシリルオキシ基で、例えば、トリメチルシリルオキシ、ｔ−ブチルジメチルシリルオキシ、ジフェニルメチルシリルオキシ）、アシルオキシ基（好ましくは炭素数２〜４８、より好ましくは炭素数２〜２４のアシルオキシ基で、例えば、アセトキシ、ピバロイルオキシ、ベンゾイルオキシ、ドデカノイルオキシ）、アルコキシカルボニルオキシ基（好ましくは炭素数２〜４８、より好ましくは炭素数２〜２４のアルコキシカルボニルオキシ基で、例えば、エトキシカルボニルオキシ、ｔ−ブトキシカルボニルオキシ、シクロアルキルオキシカルボニルオキシ基で、例えば、シクロヘキシルオキシカルボニルオキシ）、アリールオキシカルボニルオキシ基（好ましくは炭素数７〜３２、より好ましくは炭素数７〜２４のアリールオキシカルボニルオキシ基で、例えば、フェノキシカルボニルオキシ）、カルバモイルオキシ基（好ましくは炭素数１〜４８、より好ましくは炭素数１〜２４のカルバモイルオキシ基で、例えば、Ｎ，Ｎ−ジメチルカルバモイルオキシ、Ｎ−ブチルカルバモイルオキシ、Ｎ−フェニルカルバモイルオキシ、Ｎ−エチル−Ｎ−フェニルカルバモイルオキシ）、スルファモイルオキシ基（好ましくは炭素数１〜３２、より好ましくは炭素数１〜２４のスルファモイルオキシ基で、例えば、Ｎ，Ｎ−ジエチルスルファモイルオキシ、Ｎ−プロピルスルファモイルオキシ）、アルキルスルホニルオキシ基（好ましくは炭素数１〜３８、より好ましくは炭素数１〜２４のアルキルスルホニルオキシ基で、例えば、メチルスルホニルオキシ、ヘキサデシルスルホニルオキシ、シクロヘキシルスルホニルオキシ）、
【００４７】
アリールスルホニルオキシ基（好ましくは炭素数６〜３２、より好ましくは炭素数６〜２４のアリールスルホニルオキシ基で、例えば、フェニルスルホニルオキシ）、アシル基（好ましくは炭素数１〜４８、より好ましくは炭素数１〜２４のアシル基で、例えば、ホルミル、アセチル、ピバロイル、ベンゾイル、テトラデカノイル、シクロヘキサノイル）、アルコキシカルボニル基（好ましくは炭素数２〜４８、より好ましくは炭素数２〜２４のアルコキシカルボニル基で、例えば、メトキシカルボニル、エトキシカルボニル、オクタデシルオキシカルボニル、シクロヘキシルオキシカルボニル、２，６−ジ−ｔｅｒｔ−ブチル−４−メチルシクロヘキシルオキシカルボニル、下記構造式（ｉ）で表される基）、
【００４８】
【化１５】
2010037545.tif 000016
【００４９】
アリールオキシカルボニル基（好ましくは炭素数７〜３２、より好ましくは炭素数７〜２４のアリールオキシカルボニル基で、例えば、フェノキシカルボニル）、カルバモイル基（好ましくは炭素数１〜４８、より好ましくは炭素数１〜２４のカルバモイル基で、例えば、カルバモイル、Ｎ，Ｎ−ジエチルカルバモイル、Ｎ−エチル−Ｎ−オクチルカルバモイル、Ｎ，Ｎ−ジブチルカルバモイル、Ｎ−プロピルカルバモイル、Ｎ−フェニルカルバモイル、Ｎ−メチル−Ｎ−フェニルカルバモイル、Ｎ，Ｎ−ジシクロへキシルカルバモイル）、アミノ基（好ましくは炭素数３２以下、より好ましくは炭素数２４以下のアミノ基で、例えば、アミノ、メチルアミノ、Ｎ，Ｎ−ジブチルアミノ、テトラデシルアミノ、２−エチルへキシルアミノ、シクロヘキシルアミノ）、アニリノ基（好ましくは炭素数６〜３２、より好ましくは炭素数６〜２４のアニリノ基で、例えば、アニリノ、Ｎ−メチルアニリノ）、ヘテロ環アミノ基（好ましくは炭素数１〜３２、より好ましくは炭素数１〜１８のヘテロ環アミノ基で、例えば、４−ピリジルアミノ）、カルボンアミド基（好ましくは炭素数２〜４８、より好ましくは炭素数２〜２４のカルボンアミド基で、例えば、アセトアミド、ベンズアミド、テトラデカンアミド、ピバロイルアミド、シクロヘキサンアミド）、ウレイド基（好ましくは炭素数１〜３２、より好ましくは炭素数１〜２４のウレイド基で、例えば、ウレイド、Ｎ，Ｎ−ジメチルウレイド、Ｎ−フェニルウレイド）、イミド基（好ましくは炭素数３６以下、より好ましくは炭素数２４以下のイミド基で、例えば、Ｎ−スクシンイミド、Ｎ−フタルイミド）、アルコキシカルボニルアミノ基（好ましくは炭素数２〜４８、より好ましくは炭素数２〜２４のアルコキシカルボニルアミノ基で、例えば、メトキシカルボニルアミノ、エトキシカルボニルアミノ、ｔ−ブトキシカルボニルアミノ、オクタデシルオキシカルボニルアミノ、シクロヘキシルオキシカルボニルアミノ）、アリールオキシカルボニルアミノ基（好ましくは炭素数７〜３２、より好ましくは炭素数７〜２４のアリールオキシカルボニルアミノ基で、例えば、フェノキシカルボニルアミノ）、スルホンアミド基（好ましくは炭素数１〜４８、より好ましくは炭素数１〜２４のスルホンアミド基で、例えば、メタンスルホンアミド、ブタンスルホンアミド、ベンゼンスルホンアミド、ヘキサデカンスルホンアミド、シクロヘキサンスルホンアミド）、スルファモイルアミノ基（好ましくは炭素数１〜４８、より好ましくは炭素数１〜２４のスルファモイルアミノ基で、例えば、Ｎ，Ｎ−ジプロピルスルファモイルアミノ、Ｎ−エチル−Ｎ−ドデシルスルファモイルアミノ）、アゾ基（好ましくは炭素数１〜３２、より好ましくは炭素数１〜２４のアゾ基で、例えば、フェニルアゾ、３−ピラゾリルアゾ）、
【００５０】
アルキルチオ基（好ましくは炭素数１〜４８、より好ましくは炭素数１〜２４のアルキルチオ基で、例えば、メチルチオ、エチルチオ、オクチルチオ、シクロヘキシルチオ）、アリールチオ基（好ましくは炭素数６〜４８、より好ましくは炭素数６〜２４のアリールチオ基で、例えば、フェニルチオ）、ヘテロ環チオ基（好ましくは炭素数１〜３２、より好ましくは炭素数１〜１８のヘテロ環チオ基で、例えば、２−ベンゾチアゾリルチオ、２−ピリジルチオ、１−フェニルテトラゾリルチオ）、アルキルスルフィニル基（好ましくは炭素数１〜３２、より好ましくは炭素数１〜２４のアルキルスルフィニル基で、例えば、ドデカンスルフィニル）、アリールスルフィニル基（好ましくは炭素数６〜３２、より好ましくは炭素数６〜２４のアリールスルフィニル基で、例えば、フェニルスルフィニル）、アルキルスルホニル基（好ましくは炭素数１〜４８、より好ましくは炭素数１〜２４のアルキルスルホニル基で、例えば、メチルスルホニル、エチルスルホニル、プロピルスルホニル、ブチルスルホニル、イソプロピルスルホニル、２−エチルヘキシルスルホニル、ヘキサデシルスルホニル、オクチルスルホニル、シクロヘキシルスルホニル）、アリールスルホニル基（好ましくは炭素数６〜４８、より好ましくは炭素数６〜２４のアリールスルホニル基で、例えば、フェニルスルホニル、１−ナフチルスルホニル）、スルファモイル基（好ましくは炭素数３２以下、より好ましくは炭素数２４以下のスルファモイル基で、例えば、スルファモイル、Ｎ，Ｎ−ジプロピルスルファモイル、Ｎ−エチル−Ｎ−ドデシルスルファモイル、Ｎ−エチル−Ｎ−フェニルスルファモイル、Ｎ−シクロヘキシルスルファモイル）、スルホ基、ホスホニル基（好ましくは炭素数１〜３２、より好ましくは炭素数１〜２４のホスホニル基で、例えば、フェノキシホスホニル、オクチルオキシホスホニル、フェニルホスホニル）、ホスフィノイルアミノ基（好ましくは炭素数１〜３２、より好ましくは炭素数１〜２４のホスフィノイルアミノ基で、例えば、ジエトキシホスフィノイルアミノ、ジオクチルオキシホスフィノイルアミノ）、またはこれらを組み合わせた基が挙げられる。
【００５１】
これらの置換基は、さらに該置換基で置換されていてもよく、２以上の置換基で置換されている場合は、それら置換基は同一でも異なっていてもよい。
【００５２】
なお、後述する一般式（３−ａ）〜一般式（７）における「置換基」の定義も、上記した一般式（２）の「置換基」と同じ定義であり、好ましい態様も同じである。
【００５３】
一般式（２）中、Ｒ１〜Ｒ４は、それぞれ独立に、アルキル基、アルケニル基、アリール基、またはヘテロ環基を表す。Ｒ１〜Ｒ４で表される各基は、上記で説明した置換基を有していてもよく、２以上の置換基で置換されている場合には、それらの置換基は同一でも異なっていてもよい。Ｒ１〜Ｒ４は、好ましくはアルキル基、またはアリール基である。Ｒ１〜Ｒ４で表される各基は、上記で説明した置換基で列挙された各基と同義であり、好ましい態様も同様である。
【００５４】
一般式（２）中のＲ１〜Ｒ４の具体例を以下に示すが、本発明はこれらに限定されない。なかでも、好ましくはａ−８、ａ−２０、ａ−２３、ａ−２５、ａ−２６、ａ−２７、ｂ−１、ｂ−２、ｂ−８、ｂ−９、ｂ−１３、ｂ−２０、ｂ−２１、ｂ−２５、ｂ−２６である。
【００５５】
【化１６】
2010037545.tif 000017
【００５６】
【化１７】
2010037545.tif 000018
【００５７】
【化１８】
2010037545.tif 000019
【００５８】
一般式（２）中、ｗ、ｘ、ｙ、およびｚは、それぞれ独立に０〜４の整数を表す。ｗ、ｘ、ｙ、およびｚの総和（ｗ＋ｘ＋ｙ＋ｚ）は０ではなく、好ましくは４、３、または２であり、さらに好ましくは３または４である。
【００５９】
一般式（２）中、Ｚ１〜Ｚ４は、それぞれ独立に、炭素原子または窒素原子から選ばれる原子群で、結合している２個の炭素原子と共に構成される５員環または６員環を形成する原子群を表す。５員環または６員環は、芳香族または非芳香族のどちらでもよい。結合している２個の炭素原子と共に構成される５員環または６員環としては、例えば、ベンゼン環、ピリジン環、ピラジン環、ピリミジン環、ピロール環、イミダゾール環、ピラゾール環などが挙げられ、好ましくはベンゼン環、またはピリジン環である。形成される５員環または６員環には、さらにベンゼン環などの環が縮合していてもよい。形成される５員環または６員環は、上記で説明した置換基を有していてもよく、２以上の置換基を有する場合は、それらの置換基は同一でも異なっていてもよい。
【００６０】
一般式（２）中のＭ１は、金属原子、または金属酸化物を表す。該金属原子としては、Ａｌ，Ｚｎ，Ｍｇ，Ｓｉ，Ｓｎ，Ｒｈ，Ｐｔ，Ｐｄ，Ｍｏ，Ｍｎ，Ｐｂ，Ｃｕ，Ｎｉ，Ｃｏ，およびＦｅなどが挙げられる。該金属酸化物としては、ＴｉＯ，ＶＯなどが挙げられる。金属水酸化物としては、ＡｌＯＨなどが挙げられる。好ましくは、Ｃｕ，Ｎｉ，Ｃｏ，Ｚｎである。
【００６１】
上述の一般式（２）で表される染料のうち、好ましくは下記一般式（２−１）で表される染料である。つまり、下記一般式（２−１）で表される構造式の染料から任意の水素原子がｎ個外れた色素残基が好ましく挙げられる。一般式（２−１）の場合、例えば、Ｒ１〜Ｒ８から水素原子が取り除かれる。一般式（２−１）中のＲ１〜Ｒ８のうちの少なくとも一つに、一般式（１）中の−（Ｌ１−Ｐ）基が結合していることが好ましい。
【００６２】
【化１９】
2010037545.tif 000020
【００６３】
一般式（２−１）中、Ｒ１、Ｒ２、Ｒ３、Ｒ４、ｗ、ｘ、ｙ、ｘ、およびＭ１は、上述の一般式（２）中のそれらの定義と同一である。
【００６４】
一般式（２−１）中、Ｒ６〜Ｒ９は、それぞれ独立に置換基を表す。該置換基の定義は、上記で説明した置換基の定義と同一である。Ｒ６〜Ｒ９で表される置換基が、更に置換可能な基である場合には、上記の置換基で説明した基で置換されていてもよく、２個以上の置換基で置換されている場合、それらは同一でも異なっていてもよい。
【００６５】
一般式（２−１）中、ｍ、ｎ、ｐ、およびｑは、それぞれ独立に０〜４の整数を表す。ただし、ｍとｗとの和（ｍ＋ｗ）、ｎとｘとの和（ｎ＋ｘ）、ｐとｙとの和（ｐ＋ｙ）、ｑとｚとの和（ｑ＋ｚ）が、それぞれ４以下である。
【００６６】
一般式（２−１）で表される構造式は、好ましくはＲ１がアルキル基またはアリール基で、Ｍ１がＣｕ，Ｃｏ，Ｚｎ，またはＶ＝Ｏで、ｍ、ｎ、ｐ、ｑがすべて０である。より好ましくは、Ｒ１がアルキル基またはアリール基で、Ｍ１がＣｕ，Ｃｏ，Ｚｎ，またはＶ＝Ｏで、ｗ、ｘ、ｙ、ｚのうち２つが１で、他の２つは０で、ｍ、ｎ、ｐ、ｑがすべて０である。さらに好ましくは、Ｒ１がアルキル基またはアリール基で、Ｍ１がＣｕ，Ｃｏ，Ｚｎ，またはＶ＝Ｏで、ｗ、ｘ、ｙ、ｚのうち３つ以上が１で、他の１つは０で、ｍ、ｎ、ｐ、ｑがすべて０である。最も好ましくは、Ｒ１がアルキル基またはアリール基で、Ｍ１がＣｕで、ｗ、ｘ、ｙ、ｚのうち３つ以上が１で、他の１つは０で、ｍ、ｎ、ｐ、ｑがすべて０である。
【００６７】
以下に一般式（２−１）の具体例を示すが、本発明はこれらに限定されない。
【００６８】
【化２０】
2010037545.tif 000021
【００６９】
上述した一般式（２）で表される染料および一般式（２−１）で表される染料は、特開２００６−０４７４９７号の段落番号[００６０]〜[００６６]、または特開２００６−０４７７５２号の段落番号[００５５]〜[００６５]に記載の方法を参照して合成することができる。
【００７０】
上記一般式(２)および(2-1)で表される構造をＤｙｅ部分に有する、一般式（１）で表わされる化合物の例としては、特開２００６−０４７７５２号に記載のＣ−２５、Ｃ−３６を挙げることが出来る。
【００７１】
＜一般式（３−ａ）〜一般式（３−ｆ）＞
一般式（１）で表される染料として、一般式（１）中のＤｙｅが下記一般式（３−ａ）〜一般式（３−ｆ）で表される構造式の染料のいずれか１つから任意の水素原子がｎ個外れた色素残基である染料が挙げられる。一般式（３−ａ）〜一般式（３−ｆ）で表される染料（アゾ系染料、アゾメチン系染料、メチン系染料、キノフタロン系染料など）は、可視光部の最大吸収波長が４００〜５００ｎｍ、好ましくは４２０〜４８０ｎｍであり、イエロー色調用のインクとして好適である。なお、一般式（３−ａ）〜一般式（３−ｆ）で表される染料の互変異性体も好適に使用される。
【００７２】
＜一般式（３−ａ）＞
以下に、一般式（３−ａ）で表される染料について、各基の説明を述べる。一般式（３−ａ）で表される染料では、例えば、Ｒ３０、Ａ３０、Ｒ３１、Ｒ３２またはＲ３３から水素原子が取り除かれる。一般式（３−ａ）中のＲ３０、Ａ３０、Ｒ３１、Ｒ３２、およびＲ３３のうちの少なくとも一つに、一般式（１）中の−（Ｌ１−Ｐ）基が結合していることが好ましい。
【００７３】
【化２１】
2010037545.tif 000022
【００７４】
一般式（３−ａ）中、Ｒ３０は水素原子、または置換基を表す。Ｒ３０で表される置換基は、上記の一般式（２）の「置換基」と同じ定義であり、好ましい態様も同じである。
【００７５】
一般式（３−ａ）中、Ｒ３１は水素原子、アルキル基、アルケニル基、アリール基、ヘテロ環基、アシル基、アルコキシカルボニル基、またはカルバモイル基を表す。なかでも、アリール基、ヘテロ環基、アシル基、アルコキシカルボニル基、カルバモイル基が好ましく、アリール基、ヘテロ環基がより好ましく、特に、含窒素へテロ環基、電子求引性基が置換したアリール基が好ましい。電子求引性基としては、ハメットの置換基定数σｐが０．２０以上のものが好ましく、例えば、シアノ基、ニトロ基、アルキルスルホニル基、アリールスルホニル基、アシル基、アルコキシカルボニル基、スルファモイル基、ハロゲン化アルキル基、アシルオキシ基、カルバモイル基、ハロゲン原子などが挙げられる。ハメットの置換基定数については、例えば、J. A. Dean編、「Lange's Handbook of Chemistry 」第１２版、１９７９年（Mc Graw-Hill）や「化学の領域」増刊、１２２号、９６〜１０３頁、１９７９年（南光堂）に詳しく述べられている。なお、本発明において各置換基をハメットの置換基定数σｐ値により限定したり、説明したりするが、これは上記に成書で見出せる文献既知の値が有る置換基にのみ限定されるという意味ではなく、その値が文献未知であってもハメット則に基づいて測定した場合に、その範囲内に含まれるであろう置換基をも含むものである。Ｒ３１で表される各基は、上記Ｒ３０で表される置換基に列挙された各基と同義である。Ｒ３１で表される各基は、さらに上記のＲ３０で表される置換基で置換されていてもよく、２以上の置換基で置換されている場合には、それらの置換基は同一でも異なっていてもよい。
【００７６】
一般式（３−ａ）中、Ｘ３０は、−ＯＭ基、または−Ｎ（Ｒ３２）（Ｒ３３）を表す。Ｍは、水素原子、アルキル基、または、電荷を中和する為に必要な金属原子若しくは有機塩基対を表し、Ｒ３２およびＲ３３は、それぞれ独立に、水素原子、アルキル基、アルケニル基、アリール基、ヘテロ環基、アシル基、アルコキシカルボニル基、またはカルバモイル基を表す。Ｍで表される金属原子としては、金属カチオン種、例えば、リチウム、ナトリウム、カリウム、マグネシウム、カルシウム、アルミニウム、鉄、亜鉛などが挙げられる。また、Ｍで表される有機塩基対としては、有機カチオン種、例えば、４級アンモニウム、グアニジニウムカチオン、トリアルキルアンモニウムなどが挙げられる。Ｒ３２およびＲ３３で表される各基は、上記Ｒ３０で表される置換基に列挙された各基と同義であり、その好ましい態様も同様である。一般式（３−ａ）中、Ｘ３０はヒドロキシル基、または無置換のアミノ基が好ましく、中でも無置換のアミノ基が好ましい。
【００７７】
一般式（３−ａ）中、Ａ３０は、アリール基、または芳香族ヘテロ環基を表す。中でも、５員または６員の含窒素へテロ環基、もしくは電子求引性基が置換したアリール基が好ましい。好ましい電子求引性基は、ハメットの置換基定数σｐが０．２０以上のものが挙げられる。Ａ３０で表されるアリール基は、上記Ｒ３０で表される置換基に列挙されたアリール基と同義であり、好ましい態様も同様である。Ａ３０で表される芳香族へテロ環基は、上記Ｒ３０で表される置換基に列挙されたヘテロ環基のうち芳香族性のものを意味する。Ａ３０で表される各基は、さらに上記のＲ３０で表される置換基で置換されていてもよく、２以上の置換基で置換されている場合には、それらの置換基は同一でも異なっていてもよい。
【００７８】
＜一般式（３−ｂ）＞
以下に、一般式（３−ｂ）で表される染料について、各基の説明を述べる。一般式（３−ｂ）で表される染料では、例えば、Ｒ３４、Ａ３１、Ｒ３５、またはＲ３６から水素原子が取り除かれる。一般式（３−ｂ）中のＲ３４、Ａ３１、Ｒ３５、およびＲ３６のうちの少なくとも一つに、一般式（１）中の−（Ｌ１−Ｐ）基が結合していることが好ましい。
【００７９】
【化２２】
2010037545.tif 000023
【００８０】
一般式（３−ｂ）中、Ｒ３４は水素原子または置換基を表す。Ｒ３４で表される置換基は、上記一般式（３−ａ）中のＲ３０で表される置換基と同義であり、その好ましい態様も同様である。
なお、後述する一般式（３−ｂ）〜一般式（３−ｊ）中の各基の説明において「置換基」も、一般式（３−ａ）中のＲ３０で表される置換基と同義である。これらの置換基は、さらに該置換基で置換されていてもよく、２以上の置換基で置換されている場合は、それら置換基は同一でも異なっていてもよい。
また、後述する一般式（３−ｂ）〜一般式（３−ｊ）中で説明される各基（例えば、アルキル基、アルケニル基、アリール基、ヘテロ環基、アシル基、アルコキシカルボニル基など）は、一般式（３−ａ）中のＲ３０で表される置換基に列挙された各基と同義であり、好ましい態様も同じである。また、これらの各基は、さらに上記「置換基」で置換されていてもよく、２以上の置換基で置換されている場合は、それら置換基は同一でも異なっていてもよい。
【００８１】
一般式（３−ｂ）中、Ｒ３５は水素原子、アルキル基、アルケニル基、アリール基、ヘテロ環基、アシル基、アルコキシカルボニル基、またはカルバモイル基を表し、水素原子が好ましい。
【００８２】
一般式（３−ｂ）中、Ｚ３０およびＺ３１は、それぞれ独立に、−Ｃ（Ｒ３６）＝または−Ｎ＝を表し、Ｒ３６は水素原子または置換基を表す。
【００８３】
一般式（３−ｂ）中、Ａ３１は、アリール基または芳香族ヘテロ環基を表す。Ａ３１で表される各基は、上記一般式（３−ａ）中のＡ３０で表される各基と同義であり、好ましい態様も同じである。
【００８４】
＜一般式（３−ｃ）＞
以下に、一般式（３−ｃ）で表される染料について、各基の説明を述べる。一般式（３−ｃ）で表される染料では、例えば、Ｒ３７、Ｒ３８、Ｒ３９、Ｒ４０、Ｒ４１、またはＡ３２から水素原子が取り除かれる。一般式（３−ｃ）中のＲ３７、Ｒ３８、Ｒ３９、Ｒ４０、Ｒ４１、およびＡ３２のうちの少なくとも一つに、一般式（１）中の−（Ｌ１−Ｐ）基が結合していることが好ましい。
【００８５】
【化２３】
2010037545.tif 000024
【００８６】
一般式（３−ｃ）中、Ｒ３７、Ｒ３８、Ｒ３９およびＲ４０は、それぞれ独立に、水素原子、アルキル基、アルケニル基、アリール基、ヘテロ環基、アシル基、アルコキシカルボニル基、カルバモイル基、アルキルスルホニル基、またはアリールスルホニル基を表し、中でもアルキル基、アリール基、ヘテロ環基、アシル基、カルバモイル基、アルキルスルホニル基、アリールスルホニル基が好ましく、特にアルキル基、アリール基、アシル基が好ましい。
【００８７】
一般式（３−ｃ）中、Ｚ３２、Ｚ３３、およびＺ３４は、それぞれ独立に、−Ｃ（Ｒ４１）＝または−Ｎ＝を表し、中でもＺ３２、Ｚ３３、Ｚ３４のうちの少なくとも１つが−Ｎ＝であることが好ましい。Ｒ４１は、水素原子または置換基を表す。
【００８８】
一般式（３−ｃ）中、Ａ３２は、アリール基または芳香族ヘテロ環基を表す。Ａ３２で表される各基は、上記一般式（３−ａ）中のＡ３０で表される各基と同義であり、好ましい態様も同じである。
【００８９】
＜一般式（３−ｄ）＞
以下に、一般式（３−ｄ）で表される染料について、各基の説明を述べる。一般式（３−ｄ）で表される染料では、例えば、ＯＨ基、Ｒ４２、Ｒ４３、Ｒ４４、またはＡ３３から水素原子が取り除かれる。一般式（３−ｄ）中のＯＨ基、Ｒ４２、Ｒ４３、Ｒ４４、またはＡ３３のうちの少なくとも一つに、一般式（１）中の−（Ｌ１−Ｐ）基が結合していることが好ましい。
【００９０】
【化２４】
2010037545.tif 000025
【００９１】
一般式（３−ｄ）中、Ｒ４２は、水素原子、アルキル基、アルケニル基、アリール基、またはヘテロ環基を表し、中でもアルキル基、アリール基、またはヘテロ環基が好ましい。
【００９２】
一般式（３−ｄ）中、Ｒ４３およびＲ４４は、それぞれ独立に、水素原子または置換基を表し、中でもＲ４３は電子求引性の置換基であることが好ましい。
【００９３】
一般式（３−ｄ）中、Ａ３３は、アリール基または芳香族ヘテロ環基を表す。Ａ３３で表される各基は、上記一般式（３−ａ）中のＡ３０で表される各基と同義であり、好ましい態様も同じである。
【００９４】
＜一般式（３−ｅ）＞
以下に、一般式（３−ｅ）で表される染料について、各基の説明を述べる。一般式（３−ｅ）で表される染料では、例えば、ＯＨ基、Ｒ４５、Ｒ４６、またはＲ４７から水素原子が取り除かれる。一般式（３−ｅ）中のＯＨ基、Ｒ４５、Ｒ４６、およびＲ４７のうちの少なくとも一つに、一般式（１）中の−（Ｌ１−Ｐ）基が結合していることが好ましい。
【００９５】
【化２５】
2010037545.tif 000026
【００９６】
一般式（３−ｅ）中、Ｒ４５、Ｒ４６、およびＲ４７は、それぞれ独立に、水素原子または置換基を表す。
【００９７】
一般式（３−ｅ）中、ａおよびｂは、それぞれ独立に０〜４の整数を表す。
【００９８】
＜一般式（３−ｆ）＞
以下に、一般式（３−ｆ）で表される染料について、各基の説明を述べる。一般式（３−ｆ）で表される染料では、例えば、Ｒ４８、Ｒ４９、Ｒ５０、またはＲ５１から水素原子が取り除かれる。一般式（３−ｆ）中のＯＨ基、Ｒ４８、Ｒ４９、Ｒ５０、またはＲ５１のうちの少なくとも一つに、一般式（１）中の−（Ｌ１−Ｐ）基が結合していることが好ましい。
【００９９】
【化２６】
2010037545.tif 000027
【０１００】
一般式（３−ｆ）中、Ｒ４８およびＲ４９は、それぞれ独立に、水素原子、または置換基を表す。
【０１０１】
一般式（３−ｆ）中、Ｒ５０は、水素原子、ハロゲン原子、アルキル基、またはアリール基を表し、中でも水素原子が好ましい。
【０１０２】
一般式（３−ｆ）中、Ｒ５１は水素原子、アルキル基、アルケニル基、アリール基、ヘテロ環基、アシル基、アルコキシカルボニル基、カルバモイル基、アルキルスルホニル基、またはアリールスルホニル基を表し、中でも水素原子が好ましい。
【０１０３】
一般式（３−ｆ）中、Ｚ３５、Ｚ３６、Ｚ３７、およびＺ３８は、それぞれ独立に、−Ｃ（Ｒ５２）＝または−Ｎ＝を表し、Ｒ５２は水素原子または置換基を表す。
【０１０４】
一般式（３−ａ）〜一般式（３−ｆ）におけるＲ３０〜５２で表される各置換基は、さらに上記一般式（３−ａ）のＲ３０で表される置換基で置換されていてもよく、２以上の置換基で置換されている場合、それらの置換基は同一でも異なっていてもよい。
【０１０５】
一般式（３−ａ）〜一般式（３−ｆ）の中で、好ましくは、一般式（３−ａ）〜一般式（３−ｄ）中のＡ３０〜Ａ３３が、それぞれ独立に、以下一般式（イ）〜一般式（ホ）である染料、一般式（３−ｅ）で表される染料、および一般式（３−ｆ）で表される染料である。
【０１０６】
【化２７】
2010037545.tif 000028
【０１０７】
一般式（イ）中、Ｒ５３およびＲ５４は、それぞれ独立に、水素原子、アルキル基、アルケニル基、アリール基、ヘテロ環基、またはアシル基を表す。
【０１０８】
【化２８】
2010037545.tif 000029
【０１０９】
一般式（ロ）および一般式（ハ）中、Ｒ５５は、水素原子または置換基を表す。
【０１１０】
一般式（ロ）および一般式（ハ）中、Ｒ５６は、水素原子、アルキル基、アルケニル基、アリール基、ヘテロ環基、アシル基、アルコキシカルボニル基、カルバモイル基、アルキルスルホニル基、またはアリールスルホニル基を表す。
【０１１１】
一般式（ロ）および一般式（ハ）中、Ｚ３９は、−Ｃ（Ｒ５７）＝または−Ｎ＝を表し、Ｒ５７は、水素原子または置換基を表す。
【０１１２】
【化２９】
2010037545.tif 000030
【０１１３】
一般式（ニ）および一般式（ホ）中、Ｒ５８は水素原子または置換基を表す。
【０１１４】
一般式（ニ）および一般式（ホ）中、Ｘ３１は、酸素原子または硫黄原子を表す。
【０１１５】
一般式（イ）〜一般式（ホ）における＊は、一般式（３−ａ）〜一般式（３−ｄ）における窒素原子と結合する位置を表す。
【０１１６】
一般式（イ）〜一般式（ホ）において説明した各基は、さらに上記一般式（３−ａ）のＲ３０で表される置換基で置換されていてもよく、２以上の置換基で置換されている場合、それらの置換基は同一でも異なっていてもよい。
【０１１７】
さらに好ましくは、一般式（３−ｃ）中のＡ３２が一般式（ロ）〜一般式（ホ）で表される染料、一般式（３−ｄ）中のＡ３３が一般式（イ）で表される染料、一般式（３−ｅ）中のＲ４５が水素原子で、Ｒ４６が水素原子または置換基で、Ｒ４７がアルコキシカルボニル基またはカルバモイル基で表される染料、一般式（３−ｆ）中のＲ５０が水素原子で、Ｒ５１が水素原子またはアルキル基で、Ｚ３５およびＺ３６のいずれか一方が−Ｎ＝で、他方が−Ｃ（Ｒ５２）で、Ｚ３７およびＺ３８のいずれか一方が−Ｎ＝で、他方が−Ｃ（Ｒ５２）で、Ｒ５２が水素原子または置換基で表される染料が挙げられる。
【０１１８】
さらに好ましくは、一般式（３−ｃ）中のＺ３３が−Ｃ（Ｒ４１）＝で、Ｒ４１が水素原子または置換基で、Ｚ３２およびＺ３４の少なくとも一方は−Ｎ＝で、Ａ３２が一般式（ロ）〜一般式（ホ）のいずれかで表される染料、一般式（３−ｄ）中のＲ４２がアルキル基またはアリール基で、Ｒ４３がシアノ基で、Ｒ４４がアルキル基またはアリール基で、Ａ３３が一般式（イ）で表される染料、一般式（３−ｅ）中のＲ４５が水素原子で、Ｒ４６がアルキル基で、ａが０または１で表される染料、一般式（３−ｆ）中のＲ５０が水素原子で、Ｒ５１が水素原子またはアルキル基で、Ｚ３５およびＺ３６のいずれか一方は−Ｎ＝で、他方は−Ｃ（Ｒ５２）＝で、Ｚ３７およびＺ３８のいずれか一方は−Ｎ＝で、他方は−Ｃ（Ｒ５２）＝で、Ｒ５２は水素原子または置換基で、Ｒ４８およびＲ４９は、それぞれ独立に、３級アルキル基、アリール基、またはヘテロ環基で表される染料が挙げられる。
【０１１９】
さらに好ましくは、下記一般式（３−ｇ）〜一般式（３−ｊ）が挙げられる。
【０１２０】
【化３０】
2010037545.tif 000031
【０１２１】
一般式（３−ｇ）中、Ｒ６０、Ｒ６１、Ｒ６２、およびＲ６３は、それぞれ独立に、水素原子、アルキル基、アリール基、またはヘテロ環基を表す。ただし、Ｒ６０とＲ６１とが同時に水素原子であることはなく、Ｒ６２とＲ６３とが同時に水素原子であることはない。一般式（３−ｇ）中、Ｒ６４は、水素原子、シアノ基、アルコキシカルボニル基、またはカルバモイル基を表す。Ｒ６５は、水素原子または置換基を表す。一般式（３−ｇ）中、Ｒ６７は、水素原子、アルキル基、アリール基、またはヘテロ環基を表す。一般式（３−ｇ）中、Ｒ６８は、シアノ基、アルコキシカルボニル基、アリールオキシカルボニル基、カルバモイル基、アルキルスルホニル基、またはアリールスルホニル基を表す。一般式（３−ｇ）中、Ｒ６９は、水素原子、アルキル基、アルケニル基、アリール基、ヘテロ環基、アシル基、アルキルスルホニル基、またはアリールスルホニル基を表す。Ｒ６０、Ｒ６１、Ｒ６２、Ｒ６３、Ｒ６４、Ｒ６７、Ｒ６８、およびＲ６９で表される各置換基は、さらに上記一般式（３−ａ）のＲ３０で表される置換基で置換されていてもよく、２以上の置換基で置換されている場合、それらの置換基は同一でも異なっていてもよい。一般式（３−ｇ）で表される染料では、例えば、Ｒ６０〜Ｒ６９から水素原子が取り除かれる。一般式（３−ｇ）中のＲ６０〜Ｒ６９のうちの少なくとも一つに、一般式（１）中の−（Ｌ１−Ｐ）基が結合していることが好ましい。
【０１２２】
【化３１】
2010037545.tif 000032
【０１２３】
一般式（３−ｈ）中、Ｒ７０、Ｒ７１、Ｒ７２、Ｒ７３、Ｒ７４、およびＲ７５は、それぞれ独立に、水素原子、アルキル基、アリール基、またはヘテロ環基を表す。ただし、Ｒ７０とＲ７１とが同時に水素原子であることはなく、Ｒ７２とＲ７３とが同時に水素原子であることはなく、さらに、Ｒ７４とＲ７５とが同時に水素原子であることはない。Ｒ７６は、水素原子、アルキル基、アリール基、またはヘテロ環基を表す。Ｒ７７は、シアノ基、アルコキシカルボニル基、アリールオキシカルボニル基、カルバモイル基、アルキルスルホニル基、またはアリールスルホニル基を表す。Ｒ７８は、水素原子、アルキル基、アルケニル基、アリール基、ヘテロ環基、アシル基、アルキルスルホニル基、またはアリールスルホニル基を表す。Ｒ７０〜Ｒ７８で表される各置換基は、さらに上記一般式（３−ａ）のＲ３０で表される置換基で置換されていてもよく、２以上の置換基で置換されている場合、それらの置換基は同一でも異なっていてもよい。一般式（３−ｈ）で表される染料では、例えば、Ｒ７０〜Ｒ７８から水素原子が取り除かれる。一般式（３−ｈ）中のＲ７０〜Ｒ７８のうちの少なくとも一つに、一般式（１）中の−（Ｌ１−Ｐ）基が結合していることが好ましい。
【０１２４】
【化３２】
2010037545.tif 000033
【０１２５】
一般式（３−ｉ）および一般式（３−ｊ）中、Ｒ７９およびＲ８０は、それぞれ独立に、三級アルキル基を表す。Ｒ８１およびＲ８２は、それぞれ独立に、アルキル基、アリール基、またはヘテロ環基を表す。Ｒ８３は水素原子、またはアルキル基を表す。Ｒ７９、Ｒ８０、Ｒ８１、Ｒ８２、およびＲ８３で表される各置換基は、さらに上記一般式（３−ａ）のＲ３０で表される置換基で置換されていてもよく、２以上の置換基で置換されている場合、それらの置換基は同一でも異なっていてもよい。一般式（３−ｉ）および一般式（３−ｊ）で表される染料では、例えば、Ｒ７９〜Ｒ８３から水素原子が取り除かれる。一般式（３−ｉ）および一般式（３−ｊ）中のＲ７９〜Ｒ８３のうちの少なくとも一つに、一般式（１）中の−（Ｌ１−Ｐ）基が結合していることが好ましい。
【０１２６】
一般式（３−ａ）〜一般式（３−ｆ）で表される染料の具体例を以下に示すが、本発明はこれらによって限定されない。
【０１２７】
【化３３】
2010037545.tif 000034
【０１２８】
【化３４】
2010037545.tif 000035
【０１２９】
【化３５】
2010037545.tif 000036
【０１３０】
【化３６】
2010037545.tif 000037
【０１３１】
【化３７】
2010037545.tif 000038
【０１３２】
【化３８】
2010037545.tif 000039
【０１３３】
上記一般式（３−ａ）および（３−ｂ）で表される染料は、特開平６−３０１１７９号の段落番号[０１０４]〜[０１１７]に記載の方法を参照して合成することができる。上記一般式（３−ｃ）で表される染料は、特開２００７−３１６１６号の段落番号[００５０]〜[００６９]、および特開２００７−３９４７８号の段落番号[００４９]〜[００６３] に記載の方法を参照して合成することができる。上記一般式（３−ｄ）で表される染料は、特開２００６−１２４６３４号の段落番号[０１７５]〜[０１９９]に記載の方法を参照して合成することができる。上記一般式（３−ｅ）で表される染料は、特開平６−９８９１号の段落番号[００１５]〜[００３４]に記載の方法を参照して合成することができる。上記一般式（３−ｆ）で表される染料は、特開２００５−２５０４２０号の段落番号[００７１]〜[００７７]に記載の方法を参照して合成することができる。
【０１３４】
上記一般式（３−ａ）から（３−ｆ）で表される構造をＤｙｅ部分に有する、一般式（１）で表わされる化合物の例としては、特開２００５−２８１３２９号に記載の例示化合物ａ−１〜ｈ−８、同２００７−１３８０５１号に記載の例示化合物Ａ−１〜Ｃ−２２、同２００７−１３９９０６号に記載の例示化合物（１）〜（１０７）、同２００７−１４７７８４号に記載の例示化合物（１）〜（４８）、特願２００９−０７６５２１号に記載の例示化合物（１）〜（６６）、特開２００６−５８７０１号に記載の例示化合物ｍｄ−５、ｍｅ−５、ｍｘ−３、ｍｘ−４、ｙｅ−３、特開２００７−３１６１６号記載の例示化合物４４、４６、特開２００７−４１０５０号記載の例示化合物６２、６４、特開２００８−０８３４１６号に記載の例示化合物Ｙａ−２３、Ｙｂ−２０〜２２、特開２００５−２５０４２０号に記載のＹ６５〜６８、７０〜７２などを挙げることが出来る。これらの化合物例の合成方法については、上記に挙げた特開２００５−２８１３２９号、同２００７−１３８０５１号、同２００７−１３９９０６号、同２００７−１４７７８４号、特願２００９−０７６５２１号に記載された方法を挙げることができる。
【０１３５】
＜一般式（４）＞
一般式（１）で表される染料として、一般式（１）中のＤｙｅが下記一般式（４）で表される構造式の染料から任意の水素原子がｎ個外れた色素残基である染料が挙げられる。一般式（４）中のＲ１１〜Ｒ１７のうちの少なくとも一つに、一般式（１）中の−（Ｌ１−Ｐ）基が結合していることが好ましい。
【０１３６】
【化３９】
2010037545.tif 000040
【０１３７】
一般式（４）中のＲ１１〜Ｒ１６はそれぞれ独立に水素原子または置換基を表す。Ｒ１１〜Ｒ１６における置換基としては、上記した一般式（２）の「置換基」と同じ定義であり、好ましい態様も同じである。
【０１３８】
上記のＲ１１〜Ｒ１６の置換基が更に置換可能な基である場合には、Ｒ１１〜Ｒ１６で説明した置換基を有していてもよく、２個以上の置換基を有している場合には、それらの置換基は同一であっても異なっていてもよい。
【０１３９】
一般式（４）中のＲ１１とＲ１２、Ｒ１２とＲ１３、Ｒ１４とＲ１５、および／またはＲ１５とＲ１６とは各々独立に互いに結合して５員、６員、または７員の飽和環、または不飽和環を形成していてもよい。形成される５員、６員、および７員の環が、更に置換可能な基である場合には、上記Ｒ１１〜Ｒ１６で説明した置換基で置換されていてもよく、２個以上の置換基で置換されている場合には、それらの置換基は同一であっても異なっていてもよい。
【０１４０】
一般式（４）中のＲ１７は、水素原子、ハロゲン原子、アルキル基、アリール基、またはヘテロ環基を表し、Ｒ１７のハロゲン原子、アルキル基、アリール基、およびヘテロ環基は、上記Ｒ１１〜Ｒ１６で説明したハロゲン原子、アルキル基、アリール基、およびヘテロ環基と同義であり、その好ましい範囲も同様である。Ｒ１７のアルキル基、アリール基、およびヘテロ環基が、更に置換可能な基である場合には、上記Ｒ１１〜Ｒ１６で説明した置換基で置換されていてもよく、２個以上の置換基で置換されている場合には、それらの置換基は同一であっても異なっていてもよい。
【０１４１】
一般式（４）において好ましくは、Ｒ１１、およびＲ１６は、それぞれ独立に、水素原子、アルキル基、アルケニル基、アリール基、ヘテロ環基、シリル基、ヒドロキシ基、シアノ基、アルコキシ基、アリールオキシ基、ヘテロ環オキシ基、アシル基、アルコキシカルボニル基、カルバモイル基、アミノ基、アニリノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルチオ基、アリールチオ基、ヘテロ環チオ基、アルキルスルホニル基、アリールスルホニル基、またはホスフィノイルアミノ基で表され、Ｒ１２およびＲ１５は、水素原子、ハロゲン原子、アルキル基、アルケニル基、アリール基、ヘテロ環基、ヒドロキシ基、シアノ基、ニトロ基、アルコキシ基、アリールオキシ基、ヘテロ環オキシ基、アシル基、アルコキシカルボニル基、アリールオキシカルボニル基、カルバモイル基、イミド基、アルコキシカルボニルアミノ基、スルホンアミド基、アゾ基、アルキルチオ基、アリールチオ基、ヘテロ環チオ基、アルキルスルホニル基、アリールスルホニル基、またはスルファモイル基で表され、Ｒ１３およびＲ１４は、それぞれ独立に水素原子、ハロゲン原子、アルキル基、アルケニル基、アリール基、ヘテロ環基、シリル基、ヒドロキシ基、シアノ基、アルコキシ基、アリールオキシ基、ヘテロ環オキシ基、アシル基、アルコキシカルボニル基、カルバモイル基、アニリノ基、カルボンアミド基、ウレイド基、イミド基、アルコキシカルボニルアミノ基、スルホンアミド基、アゾ基、アルキルチオ基、アリールチオ基、ヘテロ環チオ基、アルキルスルホニル基、アリールスルホニル基、スルファモイル基、またはホスフィノイルアミノ基で表され、Ｒ１７は水素原子、アルキル基、アリール基、またはヘテロ環基で表される。
【０１４２】
より好ましくは、上記一般式（４）において、Ｒ１１、およびＲ１６は、それぞれ独立に、水素原子、アルキル基、アルケニル基、アリール基、ヘテロ環基、シアノ基、アシル基、アルコキシカルボニル基、カルバモイル基、アミノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルスルホニル基、アリールスルホニル基、またはホスフィノイルアミノ基で表され、Ｒ１２およびＲ１５は、アルキル基、アルケニル基、アリール基、ヘテロ環基、シアノ基、ニトロ基、アシル基、アルコキシカルボニル基、アリールオキシカルボニル基、カルバモイル基、イミド基、アルキルスルホニル基、アリールスルホニル基、またはスルファモイル基で表され、Ｒ１３およびＲ１４は、それぞれ独立に、水素原子、アルキル基、アルケニル基、アリール基、ヘテロ環基、シアノ基、アシル基、アルコキシカルボニル基、カルバモイル基、カルボンアミド基、ウレイド基、イミド基、アルコキシカルボニルアミノ基、スルホンアミド基、アルキルチオ基、アリールチオ基、ヘテロ環チオ基、アルキルスルホニル基、アリールスルホニル基、またはスルファモイル基で表され、Ｒ１７は水素原子、またはアルキル基で表される。
【０１４３】
特に好ましくは、一般式（４）において、Ｒ１１およびＲ１６は、各々独立に、水素原子、アルキル基、アリール基、ヘテロ環基、アミノ基、ヘテロ環アミノ基、カルボンアミド基、ウレイド基、イミド基、アルコキシカルボニルアミノ基、スルホンアミド基、アゾ基、アルキルスルホニル基、アリールスルホニル基、またはホスフィノイルアミノ基で表され、一般式（４）において、Ｒ１２およびＲ１５は、アルキル基、アリール基、ヘテロ環基、シアノ基、アシル基、アルコキシカルボニル基、カルバモイル基、アルキルスルホニル基、またはアリールスルホニル基で表され、Ｒ１３およびＲ１４は、それぞれ独立に、水素原子、アルキル基、アリール基、またはヘテロ環基で表され、Ｒ１７は水素原子で表される。
【０１４４】
＜一般式（５）＞
一般式（１）で表される染料として、一般式（１）中のＤｙｅが下記一般式（５）で表される構造式の染料から任意の水素原子がｎ個外れた色素残基である染料が挙げられる。一般式（５）中のＲ１１〜Ｒ１７のうちの少なくとも一つに、一般式（１）中の−（Ｌ１−Ｐ）基が結合していることが好ましい。なお、一般式（５）で表される染料は、一般式（４）で表される染料（ジピロメテン系化合物）と、金属原子又は金属化合物とから得られるジピロメテン系金属錯体化合物に該当する。
【０１４５】
【化４０】
2010037545.tif 000041
【０１４６】
一般式（５）中のＲ１１〜Ｒ１７は、一般式（４）中のＲ１１〜Ｒ１７と同義であり、好ましい態様も同様である。
【０１４７】
一般式（５）中のＭａは、金属原子又は金属化合物を表す。金属原子又は金属化合物としては、錯体を形成可能な金属原子又は金属化合物であればいずれであってもよく、２価の金属原子、２価の金属酸化物、２価の金属水酸化物、又は２価の金属塩化物が含まれる。例えば、Ｚｎ、Ｍｇ、Ｓｉ、Ｓｎ、Ｒｈ、Ｐｔ、Ｐｄ、Ｍｏ、Ｍｎ、Ｐｂ、Ｃｕ、Ｎｉ、Ｃｏ、Ｆｅ等の他に、ＡｌＣｌ、ＩｎＣｌ、ＦｅＣｌ、ＴｉＣｌ２、ＳｎＣｌ２、ＳｉＣｌ２、ＧｅＣｌ２などの金属塩化物、ＴｉＯ、ＶＯ等の金属酸化物、Ｓｉ（ＯＨ）２等の金属水酸化物も含まれる。
これらの中でも、錯体の安定性、分光特性、耐熱、耐光性、および製造適性等の観点から、Ｆｅ、Ｚｎ、Ｃｏ、Ｖ＝Ｏ、又はＣｕが好ましく、Ｚｎが最も好ましい。
【０１４８】
一般式（５）中のＸ１は、金属原子Ｍａに結合可能な基であればいずれであってもよく、水、アルコール類（例えば、メタノール、エタノール、プロパノール）等、更に「金属キレート」［１］坂口武一・上野景平著（１９９５年  南江堂）、同［２］（１９９６年）、同［３］（１９９７年）等、に記載の化合物が挙げられる。
【０１４９】
一般式（５）におけるＸ２は、Ｍａの電荷を中和する為に必要な基を表し、例えば、ハロゲン原子、水酸基、カルボン酸基、燐酸基、スルホン酸基等が挙げられる。
【０１５０】
一般式（５）におけるＸ１とＸ２とが互いに結合して、Ｍａとともに５員、６員、又は７員の環を形成してもよい。形成される５員、６員、および７員の環は、飽和環であっても不飽和環であってもよい。また、５員、６員、および７員の環は、炭素原子のみで構成されていてもよく、窒素原子、酸素原子、又は／および硫黄原子から選ばれる原子を少なくとも１個有するヘテロ環を形成していてもよい。
【０１５１】
＜一般式（５−１）＞
一般式（５）で表される染料の他の実施態様として、一般式（５−１）で表される染料が挙げられる。つまり、一般式（５−１）中のＲ１２〜Ｒ１９のうちの少なくとも一つに、一般式（１）中の−（Ｌ１−Ｐ）基が結合していることが好ましい。
【０１５２】
【化４１】
2010037545.tif 000042
【０１５３】
（一般式（５−１）中、Ｒ１２〜Ｒ１５は、各々独立に、水素原子、又は置換基を表す。Ｒ１７は、水素原子、ハロゲン原子、アルキル基、アリール基、又はヘテロ環基を表す。Ｍａは、金属原子又は金属化合物を表す。Ｘ３は、ＮＲ（Ｒは水素原子、アルキル基、アルケニル基、アリール基、ヘテロ環基、アシル基、アルキルスルホニル基、又はアリールスルホニル基を表す。）、窒素原子、酸素原子、又は硫黄原子を表し、Ｘ４は、ＮＲａ（Ｒａは水素原子、アルキル基、アルケニル基、アリール基、ヘテロ環基、アシル基、アルキルスルホニル基、又はアリールスルホニル基を表す。）、酸素原子、又は硫黄原子を表し、Ｙ１は、ＮＲｃ（Ｒｃは水素原子、アルキル基、アルケニル基、アリール基、ヘテロ環基、アシル基、アルキルスルホニル基、又はアリールスルホニル基を表す。）、窒素原子、又は炭素原子を表し、Ｙ２は、窒素原子、又は炭素原子を表す。Ｒ１８およびＲ１９は、各々独立に、アルキル基、アルケニル基、アリール基、ヘテロ環基、アルコキシ基、アリールオキシ基、アルキルアミノ基、アリールアミノ基、又はヘテロ環アミノ基を表す。Ｒ１８とＹ１は、互いに結合して５員、６員、又は７員の環を形成していてもよく、Ｒ１９とＹ２は、互いに結合して５員、６員、又は７員の環を形成していてもよい。Ｘ５はＭａと結合可能な基を表し、ａは０、１、又は２を表す。）
【０１５４】
一般式（５−１）中のＲ１２〜Ｒ１５、およびＲ１７は、それぞれ一般式（５）中のＲ１２〜Ｒ１５、およびＲ１７と同義であり、好ましい態様も同様である。
一般式（５−１）中のＭａは、金属原子又は金属化合物を表し、一般式（５）において説明した、金属原子又は金属化合物と同義であり、その好ましい範囲も同様である。
【０１５５】
一般式（５−１）中、Ｒ１８およびＲ１９は、各々独立にアルキル基（好ましくは炭素数１〜３６、より好ましくは炭素数１〜１２の直鎖、分岐鎖、又は環状のアルキル基で、例えば、メチル、エチル、プロピル、イソプロピル、ブチル、イソブチル、ｔ−ブチル、ヘキシル、２−エチルヘキシル、ドデシル、シクロプロピル、シクロペンチル、シクロヘキシル、１−アダマンチル）、アルケニル基（好ましくは炭素数２〜２４、より好ましくは炭素数２〜１２のアルケニル基で、例えば、ビニル、アリル、３−ブテン−１−イル）、アリール基（好ましくは炭素数６〜３６、より好ましくは炭素数６〜１８のアリール基で、例えば、フェニル、ナフチル）、ヘテロ環基（好ましくは炭素数１〜２４、より好ましくは炭素数１〜１２のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、アルコキシ基（好ましくは炭素数１〜３６、より好ましくは炭素数１〜１８のアルコキシ基で、例えば、メトキシ、エトキシ、プロピルオキシ、ブトキシ、ヘキシルオキシ、２−エチルヘキシルオキシ、ドデシルオキシ、シクロヘキシルオキシ）、アリールオキシ（好ましくは炭素数６〜２４、より好ましくは炭素数１〜１８のアリールオキシ基で、例えば、フェノキシ、ナフチルオキシ）、アルキルアミノ基（好ましくは炭素数１〜３６、より好ましくは炭素数１〜１８のアルキルアミノ基で、例えば、メチルアミノ、エチルアミノ、プロピルアミノ、ブチルアミノ、ヘキシルアミノ、２−エチルヘキシルアミノ、イソプロピルアミノ、ｔ−ブチルアミノ、ｔ−オクチルアミノ、シクロヘキシルアミノ、Ｎ，Ｎ−ジエチルアミノ、Ｎ，Ｎ−ジプロピルアミノ、Ｎ，Ｎ−ジブチルアミノ、Ｎ−メチル−Ｎ−エチルアミノ）、アリールアミノ（好ましくは炭素数６〜３６、より好ましくは炭素数６〜１８のアリールアミノ基で、例えば、フェニルアミノ、ナフチルアミノ、Ｎ，Ｎ−ジフェニルアミノ、Ｎ−エチル−Ｎ−フェニルアミノ）、又はヘテロ環アミノ基（好ましくは炭素数１〜２４、より好ましくは炭素数１〜１２のヘテロ環アミノ基で、例えば、２−アミノピロール、３−アミノピラゾール、２−アミノピリジン、３−アミノピリジン）を表す。
【０１５６】
一般式（５−１）中、Ｒ１８およびＲ１９のアルキル基、アルケニル基、アリール基、ヘテロ環基、アルコキシ基、アリールオキシ基、アルキルアミノ基、アリールアミノ基、又はヘテロ環アミノ基が、更に置換可能な基である場合には、上記一般式（４）のＲ１１〜Ｒ１６で説明した置換基で置換されていてもよく、２個以上の置換基で置換されている場合には、それらの置換基は同一であっても異なっていてもよい。
【０１５７】
一般式（５−１）中、Ｘ３は、ＮＲ、窒素原子、酸素原子、又は硫黄原子を表し、Ｘ４は、ＮＲａ、酸素原子、又は硫黄原子を表す。ＲとＲａは、各々独立に、水素原子、アルキル基（好ましくは炭素数１〜３６、より好ましくは炭素数１〜１２の直鎖、分岐鎖、又は環状のアルキル基で、例えば、メチル、エチル、プロピル、イソプロピル、ブチル、イソブチル、ｔ−ブチル、ヘキシル、２−エチルヘキシル、ドデシル、シクロプロピル、シクロペンチル、シクロヘキシル、１−アダマンチル）、アルケニル基（好ましくは炭素数２〜２４、より好ましくは炭素数２〜１２のアルケニル基で、例えば、ビニル、アリル、３−ブテン−１−イル）、アリール基（好ましくは炭素数６〜３６、より好ましくは炭素数６〜１８のアリール基で、例えば、フェニル、ナフチル）、ヘテロ環基（好ましくは炭素数１〜２４、より好ましくは炭素数１〜１２のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、アシル基（好ましくは炭素数１〜２４、より好ましくは炭素数２〜１８のアシル基で、例えば、アセチル、ピバロイル、２−エチルヘキシル、ベンゾイル、シクロヘキサノイル）、アルキルスルホニル基（好ましくは炭素数１〜２４、より好ましくは炭素数１〜１８のアルキルスルホニル基で、例えば、メチルスルホニル、エチルスルホニル、イソプロピルスルホニル、シクロヘキシルスルホニル）、アリールスルホニル基（好ましくは炭素数６〜２４、より好ましくは炭素数６〜１８のアリールスルホニル基で、例えば、フェニルスルホニル、ナフチルスルホニル）を表す。
上記ＲとＲａのアルキル基、アルケニル基、アリール基、ヘテロ環基、アシル基、アルキルスルホニル基、アリールスルホニル基は、更に、上記一般式（４）のＲ１１〜Ｒ１６の置換基で説明した基で置換されていてもよく、複数の置換基で置換されている場合には、それらの置換基は同一であっても異なっていてもよい。
【０１５８】
一般式（５−１）中、Ｙ１は、ＮＲｃ、窒素原子、又は炭素原子を表し、Ｙ２は、窒素原子、又は炭素原子を表す。Ｒｃは、上記Ｘ３のＲと同義である。
【０１５９】
一般式（５−１）中、Ｒ１８とＹ１とが互いに結合して、Ｒ１８、Ｙ１、および炭素原子と共に５員環（例えば、シクロペンタン、ピロリジン、テトラヒドロフラン、ジオキソラン、テトラヒドロチオフェン、ピロール、フラン、チオフェン、インドール、ベンゾフラン、ベンゾチオフェン）、６員環（例えば、シクロヘキサン、ピペリジン、ピペラジン、モルホリン、テトラヒドロピラン、ジオキサン、ペンタメチレンスルフィド、ジチアン、ベンゼン、ピペリジン、ピペラジン、ピリダジン、キノリン、キナゾリン）、又は７員環（例えば、シクロヘプタン、ヘキサメチレンイミン）を形成してもよい。
【０１６０】
一般式（５−１）中、Ｒ１９とＹ２とが互いに結合して、Ｒ１９、Ｙ２、および炭素原子と共に５員、６員、又は７員の環を形成していてもよい。形成される５員、６員、および７員の環は、上記のＲ１８とＹ１および炭素原子で形成される環から、１個の結合が二重結合に変化した環が挙げられる。
【０１６１】
一般式（５−１）中、Ｒ１８とＹ１、およびＲ１９とＹ２が結合して形成される５員、６員、および７員の環が、更に置換可能な環である場合には、上記一般式（４）のＲ１１〜Ｒ１６の置換基で説明した基で置換されていてもよく、２個以上の置換基で置換されている場合には、それらの置換基は同一であっても異なっていてもよい。
【０１６２】
一般式（５−１）中、Ｘ５はＭａと結合可能な基を表し、前記一般式（５）におけるＸ１と同様な基が挙げられる。
ａは０、１、又は２を表す。
【０１６３】
一般式（５−１）で表される化合物の好ましい態様としては、Ｒ１２〜Ｒ１５、Ｒ１７、およびＭａはそれぞれ、一般式（４）で表される染料の説明で記載した好ましい態様であり、Ｘ３はＮＲ（Ｒは水素原子、アルキル基）、窒素原子、又は酸素原子であり、Ｘ４はＮＲａ（Ｒａは水素原子、アルキル基、ヘテロ環基）、又は酸素原子であり、Ｙ１はＮＲｃ（Ｒｃは水素原子、又はアルキル基）、窒素原子、又は炭素原子であり、Ｙ２は窒素原子、又は炭素原子であり、Ｘ５は酸素原子を介して結合する基であり、Ｒ１８およびＲ１９は、それぞれ独立に、アルキル基、アリール基、ヘテロ環基、アルコキシ基、若しくはアルキルアミノ基であり、又はＲ１８とＹ１とが互いに結合して５員若しくは６員環を形成し、又はＲ１９とＹ２とが互いに結合して５員若しくは６員環を形成し、ａは０又は１を表す。
【０１６４】
一般式（５−１）で表される化合物の更に好ましい態様としては、Ｒ１２〜Ｒ１５、Ｒ１７、Ｍａはそれぞれ、一般式（４）で表される染料の説明で記載した特に好ましい態様であり、Ｘ３およびＸ４は、酸素原子であり、Ｙ１はＮＨであり、Ｙ２は窒素原子であり、Ｘ５は酸素原子を介して結合する基であり、Ｒ１８およびＲ１９は、それぞれ独立に、アルキル基、アリール基、ヘテロ環基、アルコキシ基、若しくはアルキルアミノ基であり、又はＲ１８とＹ１とが互いに結合して５員若しくは６員環を形成し、又はＲ１９とＺ２とが互いに結合して５員若しくは６員環を形成し、ａは０又は１を表す。
【０１６５】
＜一般式（５−２）＞
一般式（５）で表される染料の他の実施態様として、一般式（５−２）で表される染料が挙げられる。つまり、一般式（５−２）中のＲ１１〜Ｒ１７のうちの少なくとも一つに、一般式（１）中の−（Ｌ１−Ｐ）基が結合していることが好ましい。
【０１６６】
【化４２】
2010037545.tif 000043
【０１６７】
一般式（５−２）中のＲ１１〜Ｒ１７は、それぞれ一般式（５）中のＲ１１〜Ｒ１７と同義であり、好ましい態様も同様である。
一般式（５−２）中のＭａは、金属原子又は金属化合物を表し、一般式（５）において説明した、金属原子又は金属化合物と同義であり、その好ましい範囲も同様である。
【０１６８】
次に、一般式（５）、一般式（５−１）および一般式（５−２）で表される染料の具体例を以下に示すが、本発明はこれらに限定されるわけではない。
【０１６９】
【化４３】
2010037545.tif 000044
【０１７０】
【化４４】
2010037545.tif 000045
【０１７１】
【化４５】
2010037545.tif 000046
【０１７２】
一般式（５）、一般式（５−１）または一般式（５−２）で表される染料は、米国特許第４，７７４，３３９号、同−５，４３３，８９６号、特開２００１−２４０７６１号、同２００２−１５５０５２号、特許第３６１４５８６号、Ａｕｓｔ．Ｊ．Ｃｈｅｍ，１９６５，１１，１８３５−１８４５、Ｊ．Ｈ．Ｂｏｇｅｒ  ｅｔ  ａｌ，Ｈｅｔｅｒｏａｔｏｍ  Ｃｈｅｍｉｓｔｒｙ，Ｖｏｌ．１，Ｎｏ．５，３８９（１９９０）等に記載の方法で合成することができる。
【０１７３】
上記一般式（５）、（５−１）で表される構造をＤｙｅ部分に有する、一般式（１）で表わされる化合物の例としては、特開２００８−２９２９７０号に記載の例示化合物ＩＩＩ−１２を挙げることが出来る。
【０１７４】
＜一般式（６）＞
一般式（１）で表される染料として、一般式（１）中のＤｙｅが下記一般式（６）で表される構造式の染料から任意の水素原子がｎ個外れた色素残基である、染料が挙げられる。該染料では、例えば、一般式（６）中のＲ２１〜Ｒ２７から水素原子が取り除かれる。一般式（６）中のＲ２１〜Ｒ２７のうちの少なくとも一つに、一般式（１）中の−（Ｌ１−Ｐ）基が結合していることが好ましい。
【０１７５】
【化４６】
2010037545.tif 000047
【０１７６】
一般式（６）中、のＲ２１〜Ｒ２６はそれぞれ独立に、水素原子、または置換基を表す。Ｒ２１〜Ｒ２６で表される置換基は、上記した一般式（２）の「置換基」と同じ定義であり、好ましい態様も同じである。
【０１７７】
Ｒ２１〜Ｒ２６の置換基が更に置換可能な基である場合には、Ｒ２１〜Ｒ２６で説明した置換基を有していてもよく、２個以上の置換基を有している場合には、それらの置換基は同一であっても異なっていてもよい。
【０１７８】
Ｒ２１とＲ２２、Ｒ２２とＲ２３、Ｒ２４とＲ２５、または／およびＲ２５とＲ２６とが各々独立に互いに結合して５員、６員、または７員の飽和環、または不飽和環を形成していてもよい。形成される５員、６員、および７員の環が、更に置換可能な基である場合には、上記Ｒ２１〜Ｒ２６で説明した置換基で置換されていてもよく、２個以上の置換基で置換されている場合には、それらの置換基は同一であっても異なっていてもよい。
【０１７９】
一般式（６）中のＲ２７は、水素原子、ハロゲン原子、アルキル基、アリール基、またはヘテロ環基を表し、上記Ｒ２１〜Ｒ２６の置換基で説明したハロゲン原子、アルキル基、アリール基、およびヘテロ環基と同じ基を表し、その好ましい範囲も同様である。
Ｒ２７のアルキル基、アリール基、およびヘテロ環基が、更に置換可能な基である場合には、上記Ｒ２１〜Ｒ２６の置換基で説明した置換基で置換されていてもよく、２個以上の置換基で置換されている場合には、それらの置換基は同一であっても異なっていてもよい。
【０１８０】
一般式（６）中のＸ１およびＹ１は、それぞれ独立に、ハロゲン原子、アルコキシ基、アリールオキシ基、水酸基、アルキルチオ基、アリールチオ基、またはヘテロ環チオ基を表す。これらのハロゲン原子、アルコキシ基、アリールオキシ基、水酸基、アルキルチオ基、アリールチオ基、およびヘテロ環チオ基の好ましい範囲は、上記Ｒ２１〜Ｒ２６で述べたのと同様である。
【０１８１】
一般式（６）中のＸ１およびＹ１が置換可能な基である場合には、上記Ｒ２１〜Ｒ２６の置換基で説明した基で置換されていても良く、２個以上の置換基で置換されている場合には、それらの置換基は同一であっても異なっていてもよい。
【０１８２】
一般式（６）中において好ましくは、Ｒ２１およびＲ２６は、それぞれ独立に、水素原子、アルキル基、アルケニル基、アリール基、ヘテロ環基、シリル基、ヒドロキシル基、シアノ基、アルコキシ基、アリールオキシ基、ヘテロ環オキシ基、アシル基、アルコキシカルボニル基、カルバモイル基、アミノ基、アニリノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルチオ基、アリールチオ基、ヘテロ環チオ基、アルキルスルホニル基、アリールスルホニル基、またはホスフィノイルアミノ基を表し、Ｒ２２およびＲ２５はそれぞれ独立に、水素原子、ハロゲン原子、アルキル基、アルケニル基、アリール基、ヘテロ環基、ヒドロキシル基、シアノ基、ニトロ基、アルコキシ基、アリールオキシ基、ヘテロ環オキシ基、アシル基、アルコキシカルボニル基、アリールオキシカルボニル基、カルバモイル基、イミド基、アルコキシカルボニルアミノ基、スルホンアミド基、アゾ基、アルキルチオ基、アリールチオ基、ヘテロ環チオ基、アルキルスルホニル基、アリールスルホニル基、またはスルファモイル基、または上記構造式（ｉ）で表される基を表し、Ｒ２３およびＲ２４は各々独立に、水素原子、ハロゲン原子、アルキル基、アルケニル基、アリール基、ヘテロ環基、シリル基、ヒドロキシル基、シアノ基、アルコキシ基、アリールオキシ基、ヘテロ環オキシ基、アシル基、アルコキシカルボニル基、カルバモイル基、アニリノ基、カルボンアミド基、ウレイド基、イミド基、アルコキシカルボニルアミノ基、スルホンアミド基、アゾ基、アルキルチオ基、アリールチオ基、ヘテロ環チオ基、アルキルスルホニル基、アリールスルホニル基、スルファモイル基、またはホスフィノイルアミノ基を表し、Ｒ２７は、水素原子、ハロゲン原子、アルキル基、アリール基、またはヘテロ環基を表し、Ｘ１、およびＹ１は、フッ素原子、アルコキシ基、アリールオキシ基を表す。
【０１８３】
より好ましくは、一般式（６）において、Ｒ２１およびＲ２６は各々独立に、水素原子、アルキル基、アルケニル基、アリール基、ヘテロ環基、シアノ基、アシル基、アルコキシカルボニル基、カルバモイル基、アミノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルスルホニル基、アリールスルホニル基、またはホスフィノイルアミノ基を表し、Ｒ２２およびＲ２５は、それぞれ独立に、アルキル基、アルケニル基、アリール基、ヘテロ環基、シアノ基、ニトロ基、アシル基、アルコキシカルボニル基、アリールオキシカルボニル基、カルバモイル基、イミド基、アルキルスルホニル基、アリールスルホニル基、またはスルファモイル基、または前記構造式（ｉ）で表される基を表し、Ｒ２３およびＲ２４はそれぞれ独立に、水素原子、アルキル基、アルケニル基、アリール基、ヘテロ環基、シアノ基、アシル基、アルコキシカルボニル基、カルバモイル基、カルボンアミド基、ウレイド基、イミド基、アルコキシカルボニルアミノ基、スルホンアミド基、アルキルチオ基、アリールチオ基、ヘテロ環チオ基、アルキルスルホニル基、アリールスルホニル基、またはスルファモイル基を表し、Ｒ２７は、水素原子、ハロゲン原子、アルキル基、アリール基、またはヘテロ環基を表し、Ｘ１およびＹ１は、フッ素原子、アルコキシ基、アリールオキシ基を表す。
【０１８４】
特に好ましくは、一般式（６）中、Ｒ２１およびＲ２６の少なくとも一つは、アミノ基、カルボンアミド基、ウレイド基、アルコキシカルボニルアミノ基、またはイミド基を表し、Ｒ２１およびＲ２６の他の一つは、水素原子、アルキル基、アルケニル基、アリール基、ヘテロ環基、シアノ基、アシル基、アルコキシカルボニル基、カルバモイル基、アミノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルスルホニル基、アリールスルホニル基、またはホスフィノイルアミノ基を表し、Ｒ２２およびＲ２５の少なくとも一つは、シアノ基、または上記構造式で表される基を表し、Ｒ２２およびＲ２５の他の一つは、アルキル基、アルケニル基、アリール基、ヘテロ環基、シアノ基、ニトロ基、アシル基、アルコキシカルボニル基、アリールオキシカルボニル基、カルバモイル基、イミド基、アルキルスルホニル基、アリールスルホニル基、またはスルファモイル基、または上記構造式（ｉ）で表される基を表し、Ｒ２７は、水素原子、ハロゲン原子、アルキル基、アリール基、またはヘテロ環基を表し、Ｘ１およびＹ１は、フッ素原子、アルコキシ基、アリールオキシ基を表す。
【０１８５】
最も好ましくは、一般式（６）中、Ｒ２１およびＲ２６の少なくとも一つは、アミノ基を表し、Ｒ２１およびＲ２６の他の一つは、水素原子、アルキル基、アルケニル基、アリール基、ヘテロ環基、シアノ基、アシル基、アルコキシカルボニル基、カルバモイル基、アミノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルスルホニル基、アリールスルホニル基、またはホスフィノイルアミノ基を表し、Ｒ２２およびＲ２５の少なくとも一つは、シアノ基、または上記構造式で表される基で表され、Ｒ２２、およびＲ２５の他の一つは、アルキル基、アルケニル基、アリール基、ヘテロ環基、シアノ基、ニトロ基、アシル基、アルコキシカルボニル基、アリールオキシカルボニル基、カルバモイル基、イミド基、アルキルスルホニル基、アリールスルホニル基、またはスルファモイル基、または上記構造式（ｉ）で表される基を表し、Ｒ２７は、メチル基または水素原子を表し、Ｘ１およびＹ１は、フッ素原子を表す。
【０１８６】
一般式（６）中、Ｒ２１とＲ２２、Ｒ２２とＲ２３、Ｒ２４とＲ２５、または／およびＲ２５とＲ２６とが、それぞれ独立に、互いに結合して、置換基を有しない５員、６員、または７員の飽和環、または不飽和環を形成する場合、置換基を有しない５員、６員、または７員の飽和環、または不飽和環としては、例えば、ピロール環、フラン環、チオフェン環、ピラゾール環、イミダゾール環、トリアゾール環、オキサゾール環、チアゾール環、ピロリジン環、ピペリジン環、シクロペンテン環、シクロヘキセン環、ベンゼン環、ピリジン環、ピラジン環、ピリダジン環が挙げられ、好ましくは、ベンゼン環、ピリジン環が挙げられる。
また、置換基を有する場合、該置換基としては、例えば、上記Ｒ２１〜Ｒ２６で説明した置換基が挙げられ、好ましい置換基もＲ２１〜Ｒ２６と同様である。
なお、一般式（６）で表される染料は、互変異性体であってもよい。
【０１８７】
次に、具体例を以下に示すが、本発明はこれらの限定されるわけではない。
【０１８８】
【化４７】
2010037545.tif 000048
【０１８９】
【化４８】
2010037545.tif 000049
【０１９０】
【化４９】
2010037545.tif 000050
【０１９１】
【化５０】
2010037545.tif 000051
【０１９２】
一般式（６）で表される染料は、米国特許第４，７７４，３３９号、同−５，４３３，８９６号、特開２００１−２４０７６１号、同２００２−１５５０５２号、特許第３６１４５８６号、Ａｕｓｔ．Ｊ．Ｃｈｅｍ，１９６５，１１，１８３５−１８４５、Ｊ．Ｈ．Ｂｏｇｅｒ  ｅｔ  ａｌ，Ｈｅｔｅｒｏａｔｏｍ  Ｃｈｅｍｉｓｔｒｙ，Ｖｏｌ．１，Ｎｏ．５，３８９（１９９０）等に記載の方法で合成することができる。
【０１９３】
＜一般式（７）＞
一般式（１）で表される染料として、一般式（１）中のＤｙｅが下記一般式（７）で表される構造式の染料から任意の水素原子がｎ個外れた色素残基である、染料が挙げられる。一般式（７）中のＲ１〜Ｒ８のうちの少なくとも一つに、一般式（１）中の−（Ｌ１−Ｐ）基が結合していることが好ましい。
【０１９４】
【化５１】
2010037545.tif 000052
【０１９５】
一般式（７）中、Ｒ１〜Ｒ５およびＲ８は、それぞれ独立に、水素原子または置換基を表す。Ｒ１〜Ｒ５およびＲ８で表される置換基は、上記した一般式（２）の「置換基」と同じ定義であり、好ましい態様も同じである。
なお、各基は、それぞれさらに上述した置換基で置換されていてもよく、２以上の置換基で置換されている場合には、それらの置換基は同一でも異なっていてもよい。
【０１９６】
一般式（７）中、Ｒ１は、アルキル基、アリール基、ヘテロ環基、アルコキシ基、アリールオキシ基、アルキルチオ基、アリールチオ基、アシルアミノ基、アルコキシカルボニルアミノ基、カルバモイルアミノ基、アニリノ基が好ましく、アルキル基、アリール基、ヘテロ環基、アルコキシ基、アリールオキシ基がより好ましい。さらに好ましくは、アルキル基であり、最も好ましくは、三級アルキル基である。
【０１９７】
一般式（７）中、Ｒ２〜Ｒ５は、水素原子、ハロゲン原子、アルキル基、アルコキシ基、アリールオキシ基、アシルアミノ基、アルコキシカルボニルアミノ基、カルバモイルアミノ基、スルホンアミド基が好ましく、水素原子、ハロゲン原子、アシルアミノ基、アルコキシカルボニルアミノ基がより好ましい。
【０１９８】
一般式（７）中、Ｒ６およびＲ７は、それぞれ独立に、水素原子、アルキル基、アルケニル基、アリール基、またはヘテロ環基を表し、好ましくはアルキル基である。また、Ｒ６およびＲ７で表される各基は、上述した置換基で置換されていてもよく、２以上の置換基で置換されている場合、それらの置換基は同一でも異なっていてもよい。
【０１９９】
一般式（７）中、Ｒ２とＲ３、Ｒ３とＲ６、Ｒ４とＲ５、Ｒ５とＲ７、および／またはＲ６とＲ７とは互いに結合して、それぞれ独立に、５員環、６員環、または７員環を形成してもよい。５員環、６員環、または７員環としては、シクロペンテン、シクロヘキセン、シクロヘプテン、ジヒドロピロール、テトラヒドロピリジンなどが挙げられる。該各環は、上述した置換基で置換されていてもよく、２以上の置換基で置換されている場合、それらの置換基は同一でも異なっていてもよい。
【０２００】
一般式（７）中、ＺａおよびＺｂは、それぞれ独立に、＝Ｎ−または＝Ｃ（Ｒ８）−を表し、Ｒ８は水素原子または置換基を表す。Ｒ８で表される好ましい置換基は、アルキル基、アルケニル基、アリール基、またはヘテロ環基である。Ｒ８で表される置換基は、上述した置換基で置換されていてもよく、２以上の置換基で置換されている場合、それらの置換基は同一でも異なっていてもよい。
【０２０１】
一般式（７）中、Ｚａが＝Ｎ−で、Ｚｂが＝Ｃ（Ｒ８）−であることが好ましく、更に好ましくは、Ｚａが＝Ｎ−で、Ｚｂが＝Ｃ（Ｒ８）−で、Ｒ８がアルキル基、アリール基、またはヘテロ環基である。
【０２０２】
一般式（７）で表される染料のうち、下記一般式（７−１）で表される染料が好ましい。
【０２０３】
【化５２】
2010037545.tif 000053
【０２０４】
一般式（７−１）中、Ｒ１〜Ｒ４は、それぞれ独立に水素原子、または置換基を表す。Ｒ１〜Ｒ４で表される置換基は、上記一般式（７）中のＲ１〜Ｒ５およびＲ８で表される置換基と同義であり、好ましい態様も同様である。
【０２０５】
一般式（７−１）中、Ｒ６は、水素原子、アルキル基、アルケニル基、アリール基、またはヘテロ環基を表す。また、Ｒ６で表される各基は、さらに上述した置換基で置換されていてもよく、２以上の置換基で置換されている場合、それらの置換基は同一でも異なっていてもよい
【０２０６】
一般式（７−１）中、Ｒ９〜Ｒ１４は、それぞれ独立に、水素原子または置換基を表す。Ｒ９〜Ｒ１４で表される置換基は、上述した置換基で置換されていてもよく、２以上の置換基で置換されている場合には、それらの置換基は同一でも異なっていてもよい。
【０２０７】
一般式（７−１）中、ＺａおよびＺｂは、それぞれ独立に、＝Ｎ−または＝Ｃ（Ｒ８）−を表し、Ｒ８は水素原子または置換基を表す。Ｒ８で表される好ましい置換基は、アルキル基、アルケニル基、アリール基、またはヘテロ環基である。Ｒ８で表される置換基は、上述した置換基で置換されていてもよく、２以上の置換基で置換されている場合、それらの置換基は同一でも異なっていてもよい。
【０２０８】
一般式（７−１）中、Ｒ２とＲ３、Ｒ３とＲ６、Ｒ６とＲ９、および／またはＲ４とＲ１４とは互いに結合して、それぞれ独立に、５員環、６員環、または７員環を形成してもよい。５員環、６員環、または７員環としては、シクロペンテン、シクロヘキセン、シクロヘプテン、ジヒドロピロール、テトラヒドロピリジンなどが挙げられる。該各環は、上述した置換基で置換されていてもよく、２以上の置換基で置換されている場合、それらの置換基は同一でも異なっていてもよい。
【０２０９】
次に、一般式（７）及び一般式（７−１）で表わされる化合物の具体例を以下に示すが、本発明はこれらに限定されるわけではない。
【化５３】
2010037545.tif 000054
【０２１０】
【化５４】
2010037545.tif 000055
【０２１１】
【化５５】
2010037545.tif 000056
【０２１２】
【化５６】
2010037545.tif 000057
【０２１３】
【化５７】
2010037545.tif 000058
【０２１４】
【化５８】
2010037545.tif 000059
【０２１５】
【化５９】
2010037545.tif 000060
【０２１６】
【化６０】
2010037545.tif 000061
【０２１７】
【化６１】
2010037545.tif 000062
【０２１８】
一般式（７）で表される染料のうち、下記一般式（７−２）で表される染料がさらに好ましい。
【０２１９】
【化６２】
2010037545.tif 000063
【０２２０】
一般式（７−２）中、Ｒ１〜Ｒ４、Ｒ６、Ｒ９〜Ｒ１４は、上記一般式（６−１）中のＲ１〜Ｒ４、Ｒ６、Ｒ９〜Ｒ１４とそれぞれ同義であり、これらの好ましい態様もそれぞれ同様である。
【０２２１】
一般式（７−２）中、Ｒ１５は、水素原子または置換基を表す。Ｒ１５で表される好ましい置換基は、アルキル基、アルケニル基、アリール基、またはヘテロ環基である。Ｒ１５で表される置換基は、上述した置換基で置換されていてもよく、２以上の置換基で置換されている場合、それらの置換基は同一でも異なっていてもよい。
【０２２２】
一般式（７−２）で表される染料の好ましい範囲は、以下の通りである。一般式（６−２）中のＲ１が、アルキル基、アルケニル基、アリール基、ヘテロ環基、ヒドロキシル基、シアノ基、アルコキシ基、アリールオキシ基、ヘテロ環オキシ基、カルバモイルオキシ基、アシル基、アルコキシカルボニル基、アリールオキシカルボニル基、カルバモイル基、イミド基、アゾ基、アルキルチオ基、アリールチオ基、ヘテロ環チオ基、アルキルスルフィニル基、アリールスルフィニル基、アルキルスルホニル基、アリールスルホニル基、スルファモイル基、スルホ基、ホスホニル基、またはホスフィノイルアミノ基であり、Ｒ２、Ｒ３およびＲ４が、それぞれ独立に、水素原子、ハロゲン原子、アルキル基、アルケニル基、アリール基、ヘテロ環基、アルコキシ基、アリールオキシ基、アルコキシカルボニル基、カルバモイル基、アミノ基、アニリノ基、カルボンアミド基、ウレイド基、アルコキシカルボニルアミノ基、スルホンアミド基、スルファモイルアミノ基、アゾ基、アルキルチオ基、アリールチオ基、ヘテロ環チオ基、アルキルスルフィニル基、アリールスルフィニル基、アルキルスルホニル基、アリールスルホニル基、スルファモイル基、スルホ基、ホスホニル基、またはホスフィノイルアミノ基であり、Ｒ６がアルキル基、アルケニル基、アリール基、またはヘテロ環基であり、Ｒ９〜Ｒ１４が、それぞれ独立に、水素原子、ハロゲン原子、アルキル基、またはアルコキシ基であり、Ｒ１５が、水素原子、アルキル基、アルケニル基、アリール基、またはヘテロ環基である化合物が好ましい。
【０２２３】
さらに、一般式（７−２）中のＲ１が、アルキル基、アルケニル基、アリール基、ヘテロ環基、アルコキシカルボニル基、カルバモイル基、イミド基、アルキルチオ基、アリールチオ基、ヘテロ環チオ基、アルキルスルホニル基、またはアリールスルホニル基であり、Ｒ２、Ｒ３およびＲ４が、それぞれ独立に、水素原子、ハロゲン原子、アルキル基、アルコキシ基、アリールオキシ基、アルコキシカルボニル基、カルバモイル基、カルボンアミド基、ウレイド基、アルコキシカルボニルアミノ基、スルホンアミド基、アルキルチオ基、またはアリールチオ基であり、Ｒ６がアルキル基、アルケニル基、アリール基、またはヘテロ環基であり、Ｒ９〜Ｒ１４が、それぞれ独立に、水素原子、またはアルキル基であり、Ｒ１５が、アルキル基、アルケニル基、アリール基、またはヘテロ環基である化合物がより好ましい。
【０２２４】
またさらに、一般式（７−２）中のＲ１がアルキル基であり、Ｒ２、Ｒ３およびＲ４が、それぞれ独立に、水素原子、ハロゲン原子、アルキル基、アルコキシ基、カルボンアミド基、ウレイド基、またはアルコキシカルボニルアミノ基であり、Ｒ６がアルキル基であり、Ｒ９〜Ｒ１４が、それぞれ独立に、水素原子、またはアルキル基であり、Ｒ１５がアルキル基、アルケニル基、アリール基、またはヘテロ環基である化合物がより好ましい。
【０２２５】
またさらに、一般式（７−２）中のＲ１が三級アルキル基（好ましくは炭素数４〜１６、より好ましくは炭素数４〜８の三級アルキル基である。例えば、ｔ−ブチル、ｔ−アミル、ｔ−オクチル、１−アダマンチル、エチルシクロヘキシル）であり、Ｒ２、Ｒ３およびＲ４が、それぞれ独立に、水素原子、ハロゲン原子（例えば、フッ素原子、塩素原子、臭素原子、またはヨウ素原子が挙げられ、好ましくはフッ素原子または塩素原子である。）、アルキル基（好ましくは炭素数１〜１２、より好ましくは炭素数１〜８のアルキル基である。例えば、メチル、エチル、プロピル、イソプロピル、ｔ−ブチル、シクロヘキシル、２−エチルヘキシル）、またはアルコキシ基（好ましくは炭素数１〜１２、より好ましくは炭素数１〜８のアルコキシ基である。例えば、メトキシ、エトキシ、イソプロピルオキシ、オクチルオキシ、２−エチルヘキシルオキシ）であり、Ｒ６がアルキル基（好ましくは炭素数１〜１８、より好ましくは炭素数１〜１２のアルキル基である。例えば、メチル、エチル、プロピル、イソプロピル、オクチル、２−エチルヘキシル、２−ヒドロキシエチル、２−ヒドロキシプロピル）であり、Ｒ９およびＲ１０がアルキル基（好ましくは炭素数１〜８、より好ましくは炭素数１〜４のアルキル基である。例えば、メチル、エチル、プロピル、ブチル、最も好ましくはメチル）であり、Ｒ１１〜Ｒ１３が水素原子であり、Ｒ１４がアルキル基（好ましくは炭素数１〜８、より好ましくは炭素数１〜４のアルキル基である。例えば、メチル、エチル、プロピル、ブチル、最も好ましくはメチル）であり、Ｒ１５がアルキル基、アリール基、またはヘテロ環基である化合物が最も好ましい。
【０２２６】
以下に、上記一般式（７）で表される染料の具体例を示すが、本発明はこれらに限定されるものではない。
【０２２７】
【化６３】
2010037545.tif 000064
【０２２８】
上記一般式（７）で表される染料は、特開２００５-１８９８０２号公報の段落番号[００５８]〜[００６８]に記載の方法を参照して合成することができる。
【０２２９】
一般式（１）で表させる染料の合成方法としては、特開２００５−１８９８０２号中の例示化合物Ｍ−６９、及びＭ−７０の他、特願２００９−０８２５３１号に記載の１−１〜６−１３までの例示化合物を挙げることが出来、その合成法も特願２００９−０８２５３１号に記載の方法を挙げることが出来る。
また、その他、公知の方法を用いることができる。例えば、染料の一部の官能基（例えば、ヒドロキシル基、カルボキシル基など）と反応可能な官能基を有する重合性モノマーを該染料と反応させる方法、重合性基前駆体を有する化合物を予め染料の一部に導入し、塩基などの処理により二重結合を導入し、重合性を付与する方法が挙げられ、各反応は公知の一般的な化学反応によって実施する事ができる。染料の骨格設計の自由度を付与する考え方から、染料の一部の官能基と反応可能な官能基を有する重合性モノマーを該染料と反応させる方法が好ましい。また、一般式（１）で表させる染料は市販品を用いてもよい。
【０２３０】
本発明のインクジェット用インク中の一般式（１）で表される染料の含有量は、１〜３０質量％が好ましく、３〜２０質量％がより好ましい。１質量％未満の場合、カラーフィルタとして必要な光学濃度を達成するために、膜厚が厚くなる。そのためブラックマトリクスも厚くする必要があり、ブラックマトリクス形成が困難になるので好ましくない。３０質量％を超える場合、インク粘度が高くなり吐出が困難になる、また溶媒へ溶解しにくくなるので好ましくない。
【０２３１】
本発明のインクジェット用インクには一般式（１）で表される染料以外の他の染料を含んでいてもよい。他の染料の種類としては、特に限定されないが、上述した一般式（２）〜一般式（７）で表される染料などが挙げられる。本発明のインクジェット用インク中の一般式（１）で表される染料以外の他の染料の含有量は、特に制限されず、１〜２０質量％が好ましく、３〜１５質量％がより好ましい。
【０２３２】
＜溶媒＞
本発明のインクジェット用インクは、溶媒を含有することが好ましい。溶媒としては、各成分の溶解性や後述する溶媒の沸点を満足すれば基本的に特に限定されないが、特に後述するバインダーの溶解性、塗布性、安全性を考慮して選ばれることが好ましい。溶媒の具体例としては、水や、エステル類、例えば、ギ酸アミル、酢酸イソアミル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチルなど；３−オキシプロピオン酸メチル、３−オキシプロピオン酸エチルなどの３−オキシプロピオン酸アルキルエステル類、例えば、３−メトキシプロピオン酸メチル、３−メトキシプロピオン酸エチル、３−エトキシプロピオン酸メチル、３−エトキシプロピオン酸エチルなど；２−オキシプロピオン酸メチル、２−オキシプロピオン酸エチル、２−オキシプロピオン酸プロピルなどの２−オキシプロピオン酸アルキルエステル類、例えば、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチルなど；ピルビン酸メチル、ピルビン酸エチル、ピルビン酸プロピル、アセト酢酸メチル、アセト酢酸エチル、２−オキソブタン酸メチル、２−オキソブタン酸エチルなど；エーテル類、例えば、ジエチレングリコールジメチルエーテル、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールメチルエーテル、プロピレングリコールメチルエーテルアセテート、プロピレングリコールエチルエーテルアセテート、プロピレングリコールプロピルエーテルアセテートなど；ケトン類、例えば、シクロヘキサノン、２−ヘプタノン、３−ヘプタノンなど；芳香族炭化水素類、例えば、キシレンなど；ジシクロヘキシルメチルアミンなどの有機溶剤などが好適に挙げられる。これらは１種または２種以上を併用して使用しても構わない。
【０２３３】
本発明のインクジェット用インク中の該溶媒の含有量は、インク全量に対して、３０〜９０質量％が好ましく、５０〜９０質量％がさらに好ましい。３０質量％以上であると１画素内に打滴されるインク量が保たれ、画素内でのインクの濡れ広がりが良好である。また、９０質量％以下であると、インク中の機能膜（例えば画素など）を形成するための溶媒以外の成分量を所定量以上に保つことができる。これより、カラーフィルタを形成する場合には、１画素当たりのインク必要量が多くなり過ぎることがなく、例えば隔壁で区画された凹部にインクジェット法でインクを付与する場合に、凹部からのインク溢れや隣の画素との混色の発生を抑制することができる。
【０２３４】
本発明のインクジェット用インクは、ノズルに対するインクの吐出性および基板に対する濡れ性の点で、上述した溶媒のうち、沸点の高い溶媒を含有していることが好ましい。沸点の低い溶媒は、インクジェットヘッド上でもすばやく蒸発するため、ヘッド上でのインクの粘度上昇や固形分の析出等を容易に引き起こし、吐出性の悪化を伴う場合が多い。また、インクが基板面に着弾し、基板面上を濡れ拡がる場合も、濡れ拡がりの縁の部分において溶媒が蒸発することでインクの粘度上昇が起こり、ピニング（ＰＩＮＮＩＮＧ）という現象により、濡れ拡がりが抑えられる場合がある。
【０２３５】
本発明で用いられる溶媒の沸点は、１３０〜２８０℃であることが好ましい。１３０℃より低いと、面内の画素の形状の均一性の点で好ましくない場合がある。２８０℃より高いと、プリベークによる溶媒除去の点で好ましくない場合がある。なお、溶媒の沸点は、圧力１ａｔｍのもとでの沸点を意味し、化合物辞典（Ｃｈａｐｍａｎ ＆ Ｈａｌｌ 社）などの物性値表により知ることができる。これらは１種または２種以上を併用してもよい。
【０２３６】
なお、上述のインクジェット用インクが後述する重合性モノマーなどを含まない場合、インクに含まれる溶媒を除去して得られるインク残部（色画素）の厚みが薄くなるため、混色などの防止目的で基板上に形成された隔壁の高さを低くすることができ、コスト・生産性の面から好ましい。
【０２３７】
＜重合性モノマー＞
本発明のインクジェット用インクは、重合性モノマーを含んでいてもよい。重合性モノマーの添加により、インク液滴と基板との密着性が向上する。併せて、上述した染料のインク中での分散均一性の向上や、耐候性・耐熱性などの堅牢性の向上が期待できる。この重合性モノマーとしては、特に制限は無いが、各種置換基のバリエーションが多く、入手が容易な点で、（メタ）アクリル系モノマー、エポキシ系モノマー、およびオキセタニル系モノマーから選択される１種以上を含有することが好ましい。
【０２３８】
重合性モノマーとしては、重合性基を２つ以上有するモノマー（以下、「２官能以上のモノマー」ともいう）が好ましい。重合性モノマーとしては、活性エネルギー線および／または熱により重合反応可能であれば特に限定されるものではないが、膜の強度や耐溶剤性などの点から、重合性基を３つ以上有するモノマー（以下、「３官能以上のモノマー」ともいう）がより好ましい。
【０２３９】
上述した重合性基の種類としては、特に制限はないが、上記の通り、アクリロイルオキシ基、メタクリロイルオキシ基、エポキシ基、オキセタニル基が特に好ましい。重合性モノマーの具体例としては、特開２００１−３５００１２号公報の段落番号［００６１］〜［００６５］に記載のエポキシ基含有モノマー、特開２００２−３７１２１６号公報の段落番号［００１６］に記載のアクリレートモノマーおよびメタクリレートモノマー、特開２００１−２２０５２６号公報、特開２００１−３１０９３７号公報、特開２００３−３４１２１７号公報の段落番号［００２１］〜［００８４］および特開２００４−９１５５６号公報の段落番号［００２２］〜［００５８］などに記載のオキセタニル基含有モノマー、並びに、シーエムシー出版「反応性モノマーの市場展望」に記載のモノマーなどが挙げられる。
【０２４０】
また、（メタ）アクリル系モノマーであるアクリレートモノマーおよびメタクリレートモノマーとしては、ポリエチレングリコールモノ（メタ）アクリレート、ポリプロピレングリコールモノ（メタ）アクリレート、フェノキシエチル（メタ）アクリレート、などの単官能のアクリレートやメタアクリレートや、ポリエチレングリコールジ（メタ）アクリレート、トリメチロールエタントリ（メタ）アクリレート、ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ヘキサンジオール（メタ）アクリレート、トリメチロールプロパントリ（アクリロイルオキシプロピル）エーテル、トリ（アクリロイロキシエチル）イソシアヌレートなどのアクリレートまたはメタクリレートや、グリセリンやトリメチロールエタンなどの多官能アルコールにエチレンオキサイドやプロピレンオキサイドを付加させた後（メタ）アクリレート化して得られるトリメチロールプロパンＰＯ（プロピレンオキサイド）変性トリ（メタ）アクリレートやトリメチロールプロパンＥＯ（エチレンオキサイド）変性トリ（メタ）アクリレート、カプロラクトン変性ジペンタエリスリトールヘキサアクリレート、特公昭４８−４１７０８号、特公昭５０−６０３４号、特開昭５１−３７１９３号の各公報に記載のウレタンアクリレート類、特開昭４８−６４１８３号、特公昭４９−４３１９１号、特公昭５２−３０４９０号の各公報に記載のポリエステルアクリレート類、エポキシ樹脂と（メタ）アクリル酸との反応生成物であるエポキシアクリレート類などの多官能のアクリレートやメタアクリレート、およびこれらの混合物を挙げることができる。またさらに、日本接着協会誌Ｖｏｌ．２０、Ｎｏ．７、３００〜３０８頁に光硬化性モノマー及びオリゴマーとして紹介されているものが挙げられる。単官能モノマー、２官能モノマー、３官能以上の多官能モノマー、オリゴマーを適宜組み合わせて粘度を調整することが好ましい。単官能モノマーや２官能モノマーを併用すると、インクの粘度が低下し、ノズル詰まりを防止できる効果が得られる。膜の強度を補ったり、基板との密着を付与するために、２５℃での粘度が７００ｍＰａ・ｓ以上の高粘度の多官能モノマーやウレタンアクリレートなどの高極性モノマー、オリゴマーなどを少量併用しても構わない。
【０２４１】
上述した重合性モノマーの含有量は、インクジェット用インクの固形分中の３０〜８０量％が好ましく、４０〜８０質量％がより好ましく。モノマーの使用量が上記範囲内であれば、画素部の重合が十分となるため、画素部の膜強度の不足に起因する傷の発生が起こりにくくなる。さらには、透明導電膜を付与する際にクラックやレチキュレーションが発生しにくくなったり、配向膜を設ける際の耐溶剤性が向上したり、電圧保持率を低下させない等の効果が得られる。ここで、配合割合を特定するためのインクジェット用インクの固形分とは、溶剤を除く全ての成分を含み、液状の重合性モノマーなども固形分に含まれる。
【０２４２】
＜バインダー樹脂＞
本発明のインクジェット用インクには、粘度の調整やインク硬度の調整などの目的で、バインダー樹脂を入れてもよい。バインダー樹脂としては、それ自体は重合反応性のない樹脂のみから構成されるような単に乾燥固化するバインダー樹脂を用いてもよい。しかしながら、塗工膜に十分な強度、耐久性、密着性を付与するためには、インクジェット法により基板上に画素のパターンを形成後、該画素を重合反応により硬化させることのできるバインダー樹脂を用いるのが好ましく、例えば、可視光線、紫外線、電子線等により重合硬化させることができる光硬化性のバインダー樹脂や、加熱により重合硬化させることができる熱硬化性のバインダー樹脂のような、重合硬化可能なバインダー樹脂を用いることができる。
【０２４３】
＜重合開始剤＞
本発明のインクジェット用インクは、重合性モノマーおよびバインダー樹脂の重合反応を促進する目的で、重合開始剤を併用してもよい。重合開始剤は、インクジェット用インクに用いる重合性モノマーおよびバインダーの種類、重合経路にあわせて選択することができる。重合開始剤としては、例えば、特許出願２００７−３０３６５６号明細書の段落番号[００８６]〜［０１１７］に記載される重合開始剤を用いてもよい。
【０２４４】
重合開始剤の含有量は、インクジェット用インク中の全固形分に対して、０．０１〜５０質量％であることが好ましく、より好ましくは１〜３０質量％である。含有量が上述の範囲内であると、より良好な感度と強固な硬化部を形成することができる。また、上記、酸を発生させる化合物は１種または２種以上を混合して使用することができる。
【０２４５】
＜硬化剤＞
エポキシ系モノマー（エポキシ基含有モノマー）、熱硬化性バインダー樹脂には、通常、硬化剤を組み合わせて配合することができる。硬化剤としては、エポキシ樹脂技術協会発行の「総説エポキシ樹脂基礎編Ｉ」２００３年１１月１９日発行、第３章に記載の硬化剤、促進剤を好適に用いることができ、例えば、多価カルボン酸無水物または多価カルボン酸を用いることができる。
【０２４６】
＜界面活性剤＞
本発明のインクジェット用インクには、さらに界面活性剤を用いてもよい。界面活性剤の例として、特開平７−２１６２７６号公報の段落番号［００２１］や、特開２００３−３３７４２４号公報、特開平１１−１３３６００号公報に開示されている界面活性剤が、好適なものとして挙げられる。界面活性剤の含有量は、インクジェット用インク全量に対して５質量％以下が好ましい。
【０２４７】
その他の添加剤としては、特開２０００−３１０７０６号公報の段落番号［００５８］〜［００７１］に記載のその他の添加剤が挙げられる。
【０２４８】
本発明に係るインクジェット用インクの各成分の含有量としては、一般式（１）で表される染料の含有量は１〜３０質量％が好ましく、溶媒の含有量は３０〜９０質量％が好ましく、重合性モノマーの含有量は５〜５０質量％が好ましく、７〜３０質量％がより好ましく、界面活性剤の含有量が０．１〜５質量％が好ましい。
【０２４９】
＜インクジェット用インクの製造方法＞
本発明のインクジェット用インクの製造には、公知のインクジェット用インクの製造方法を適用することが可能である。例えば、溶媒中に一般式（１）で表される染料を溶解した後、インクジェット用インクに必要な各成分（例えば重合性モノマーや他の染料など）を溶解させてインクジェット用インクを調製することができる。
【０２５０】
＜インクジェット用インクの物性値＞
本発明のインクジェット用インクの物性値としては、インクジェットヘッドで吐出可能な範囲であれば特に限定されないが、吐出時における粘度は安定吐出観点から、２〜３０ｍＰａ・ｓであることが好ましく、２〜２０ｍＰａ・ｓがより好ましく。また、装置で吐出する際には、インクジェットインクの温度を２０〜８０℃の範囲でほぼ一定温度に保持することが好ましい。装置の温度を高温に設定すると、インクの粘度が低下し、より高粘度のインクを吐出可能となるが、温度が高くなることにより、熱によるインクの変性や熱重合反応がヘッド内で発生したり、インクを吐出するノズル表面で溶剤が蒸発しやすくなり、ノズル詰まりが起こりやすくなるため、装置の温度は２０〜８０℃の範囲が好ましい。
【０２５１】
なお、粘度は、２５℃にインクジェット用インクを保持した状態で、一般に用いられるＥ型粘度計（例えば、東機産業（株）製Ｅ型粘度計（ＲＥ−８０Ｌ）を用いることにより測定される値である。
【０２５２】
また、インクジェット用インクの２５℃の表面張力（静的表面張力）としては、非浸透性の基板に対する濡れ性を向上、吐出安定性の点で、２０〜４０ｍＮ／ｍが好ましく、２０〜３５ｍＮ／ｍがより好ましい。また、装置で吐出する際には、インクジェット用インクの温度を２０〜８０℃の範囲で略一定温度に保持することが好ましく、そのときの表面張力を２０〜４０ｍＮ／ｍとすることが好ましい。インクジェット用インクの温度を所定精度で一定に保持するためには、インク温度検出手段と、インク加熱または冷却手段と、検出されたインク温度に応じて加熱または冷却を制御する制御手段とを備えていることが好ましい。あるいは、インク温度に応じてインクを吐出させる手段への印加エネルギーを制御することにより、インク物性変化に対する影響を軽減する手段を有することも好適である。
【０２５３】
上述の表面張力は、一般的に用いられる表面張力計（例えば、協和界面科学（株）製、表面張力計ＦＡＣＥ  ＳＵＲＦＡＣＥ  ＴＥＮＳＩＯＭＥＴＥＲ  ＣＢＶＢ−Ａ３など）を用いて、ウィルヘルミー法で液温２５℃、６０％ＲＨにて測定される値である。
【０２５４】
また、インクジェット用インクが基板着弾後に濡れ拡がる形状を適正に保つためには、基板に着弾後のインクジェット用インクの液物性を所定に保持することが好ましい。このためには、基板および／または基板の近傍を所定温度範囲内に保持することが好ましい。あるいは、基板を支持する台の熱容量を大きくするなどにより、温度変化の影響を低減することも有効である。
【０２５５】
＜カラーフィルタおよびその製造方法＞
次に、図面に示す好適実施形態を参照して、本発明のインクジェット用インクを用いたカラーフィルタおよびその製造方法について詳細に説明する。
本発明のカラーフィルタは、本発明のインクジェット用インクを用いてインクジェット法により形成された色画素を備えることを特徴とするものであり、すなわち、本発明のインクジェット用インクを用いてインクジェット法により製造されたことを特徴とするものである。また、本発明のカラーフィルタの製造方法は、基板上に形成された隔壁により囲まれた凹部に、本発明のインクジェット用インクをインクジェット法により付与して画素を形成する工程（以下、「画素形成工程」という）を有することを特徴とする。好ましくは、画素形成工程は、基板上の隔壁により区画された凹部にインクジェット法により液滴としてインクを付与する描画工程と、さらに、描画された少なくとも１色の画素（凹部内のインク）を活性エネルギー線の照射により硬化して色画素を形成する照射工程や、所望の色相の画素（凹部内のインク）の全てを形成した後に熱により硬化して色画素を形成する加熱工程を含む硬化工程を有し、必要に応じてベーク処理などの他の工程を設けて構成することができる。
【０２５６】
図１は、本発明のカラーフィルタの製造方法の一実施形態における製造工程を示すフローチャートであり、図２（ａ）〜（ｆ）は、本発明のカラーフィルタの製造方法における基板からカラーフィルタに至る製造工程順に示す基板およびカラーフィルタの模式的断面図である。
図１および図２（ａ）〜（ｆ）に示すように、本発明のカラーフィルタ１０の製造方法は、基板１２にブラックマトリックス（ＢＭ）となる隔壁（バンク）１４を形成する隔壁形成工程Ｓ１０２（図２（ｂ）参照）と、隔壁１４に撥液性（撥インク性）を付与する撥液処理工程Ｓ１０４と、隣接する隔壁１４間の凹部１６に、本発明のインクジェット用インク１８をインクジェット法により付与して色画素２０を形成する画素形成工程Ｓ１０６（図２（ｃ）〜（ｅ）参照）と、形成された色画素２０を保護する保護膜２２を形成してカラーフィルタ１０を製造する保護膜形成工程Ｓ１０８（図２（ｆ）参照）とを有する。
【０２５７】
また、画素形成工程Ｓ１０６は、上述したように、隔壁１４間の凹部１６にインク１８をインクジェット法により液滴として吐出して付与する描画工程Ｓ１１０（図２（ｃ）参照）と、凹部１６に付与されたインク１８を乾燥させてインク１８内の溶剤を除去してインク残部１８ａとする予備処理工程Ｓ１１２（図２（ｄ）参照）と、基板１２上の凹部１６内のインク残部１８ａに活性エネルギー線を照射する照射工程および／またはインク残部１８ａを加熱する加熱工程によりインク残部１８ａを重合して硬化させ、色画素２０を形成する硬化工程Ｓ１１４（図２（ｅ）参照）とを有する。
なお、隔壁１４は、画素形成工程Ｓ１０６の前の隔壁形成工程Ｓ１０２において、予め基板１２上に形成されたものであり、隔壁１４の隔壁形成工程Ｓ１０２およびその形成方法の詳細については後述し、まず始めに、画素形成工程Ｓ１０６について説明する。
【０２５８】
＜画素形成工程＞
図２（ｃ）〜（ｅ）に示すように、画素形成工程Ｓ１０６では、描画工程Ｓ１１０において、隔壁（色離隔壁）１４間の凹部１６に、本発明のインクジェット用インク１８の液滴をインクジェット法で付与して、硬化工程Ｓ１１４で付与されたインク１８を硬化して画素２０を形成する。この画素２０は、カラーフィルタ１０を構成する赤色（Ｒ）、緑色（Ｇ）、青色（Ｂ）などの色画素となるものである。本発明で使用されるインクジェット法および描画工程Ｓ１１０の詳細については後述する。本発明のインクジェット用インクを用いることにより、赤色（Ｒ）、緑色（Ｇ）、青色（Ｂ）の色画素を有するカラーフィルタ１０を製造することができる。なお、カラーフィルタの基板１２としては、特に限定されず、ガラス板や、ポリカーボネート、ポリメタクリル酸メチル、ポリエチレンテレフタレートなどの樹脂板を用いることができる。
【０２５９】
描画工程Ｓ１１０において用いられるインクジェット方式としては、特に限定されず、帯電したインクジェットインクを連続的に噴射し電場によって制御する方法、圧電素子を用いて間欠的にインクジェットインクを噴射する方法、インクジェットインクを加熱してその発泡を利用して間欠的に噴射する方法等の、各種の方法を採用できる。
使用されるインクジェットヘッドとしては、コンティニュアス型やオンデマンド型のピエゾ方式、サーマル方式、ソリッド方式、静電吸引方式等の種々の方式のインクジェットヘッド（吐出ヘッド）を用いることができ、オンデマンド型の種々の方式のインクジェットヘッドを用いることが好ましく、特に、オンデマンド型のピエゾ方式のインクジェットヘッドを用いることが好ましい。また、インクジェットヘッドの吐出部（ノズル）は、単列配置に限定されず、複数列としても千鳥格子状に配置としてもよい。
さらに、ヘッドは、インクの温度が管理できるように温調機能を持つものが好ましい。射出時の粘度は、５〜２５ｍＰａ・ｓとなるように射出温度を設定し、粘度の変動幅が±５％以内になるようにインク温度を制御することが好ましい。また、駆動周波数としては、１〜５００ｋＨｚで稼動することが好ましい。ノズルの形状は、必ずしも円形である必要はなく、楕円形、矩形等の形状に制限されるものではない。ノズル径は、１０〜１００μｍの範囲であることが好ましい。なお、ノズルの開口部自身は必ずしも真円とは限らないが、その場合、ノズル径は該開口部の面積と同等の円で表したときの径とする。
【０２６０】
本発明のインクジェット用インクを用いて製造するカラーフィルタとしては、単色のカラーフィルタのみならず、イエロー（Ｙ）とマゼンタ（Ｍ）とでなる赤色（Ｒ）の色画素、イエロー（Ｙ）とシアン（Ｃ）とでなる緑色（Ｇ）の色画素、マゼンタ（Ｍ）とシアン（Ｃ）とでなる青色（Ｂ）の色画素を有する３色のカラーフィルタや、さらに、イエロー（Ｙ）、マゼンタ（Ｍ）、シアン（Ｃ）の色画素を有する４〜６色の色画素を有するカラーフィルタなどが挙げられる。
【０２６１】
一般式（１）で表される染料は、Ｄｙｅの構造により種々の色のインクジェット用インクに用いることができる。例えば、青色（Ｂ）のインクジェット用インクとして、Ｄｙｅが一般式（４）、一般式（５）、一般式（６）または一般式（７）から水素原子を除いた色素残基である一般式（１）で表される染料を含むインクジェット用インクが好適に用いられる。
赤色（Ｒ）のインクジェット用インクとして、Ｄｙｅが一般式（３−ａ）〜一般式（３−ｆ）のいずれかから水素原子を除いた色素残基である、一般式（１）で表される染料を含むインクジェット用インクが好適に用いられる。
緑色（Ｇ）のインクジェット用インクとして、Ｄｙｅが一般式（３−ａ）〜一般式（３−ｆ）のいずれかから水素原子を除いた色素残基である一般式（１）で表される染料、および／またはＤｙｅが一般式（２）から水素原子を除いた色素残基である一般式（１）で表される染料を含むインクジェット用インクが好適に用いられる。
【０２６２】
マゼンタ（Ｍ）とこれ以外の他色の色画素を有するカラーフィルタを形成するためのそれぞれの着色用インクとしては、公知のものを使用することができる。例えば、マゼンタ色調インクの場合は、カップリング成分（以降、カプラー成分と呼ぶ）として、フェノール類、ナフトール類、アニリン類、ピラジンのようなヘテロ環類、開鎖型活性メチレン化合物類などを有するアリールもしくはヘテリルアゾ染料；例えばカプラー成分として開鎖型活性メチレン化合物類などを有するアゾメチン染料；アントラピリドン染料（例えばＵＳ２００４／０２３９７３９Ａ１明細書記載のＴａｂｌｅ １中のＮｏ．２０の化合物や、国際公開第０４／１０４１０８号パンフレット記載の化合物（１３）など）などを含んだインクを挙げることができる。
【０２６３】
イエロー色調用インクとしては、例えば、カプラー成分としてフェノール類、ナフトール類、アニリン類、ピラゾロンやピリドン等のような複素環類、開鎖型活性メチレン化合物類、などを有するアリールもしくはヘテリルアゾ染料；例えば、カプラー成分として開鎖型活性メチレン化合物類などを有するアゾメチン染料；例えば、ベンジリデン染料やモノメチンオキソノール染料等のようなメチン染料；例えば、ナフトキノン染料、アントラキノン染料等のようなキノン系染料などがあり、これ以外の染料種としてはキノフタロン染料、ニトロ・ニトロソ染料、アクリジン染料、アクリジノン染料などを含んだインクを挙げることができる。
【０２６４】
シアン色調用染料としては、例えば、カプラー成分としてフェノール類、ナフトール類、アニリン類などを有するアリールまたはヘテリルアゾ染料；例えば、カプラー成分としてフェノール類、ナフトール類、ピロロトリアゾールのような複素環類などを有するアゾメチン染料；シアニン染料、オキソノール染料、メロシアニン染料などのようなポリメチン染料；ジフェニルメタン染料、トリフェニルメタン染料、キサンテン染料などのようなカルボニウム染料；フタロシアニン染料；アントラキノン染料；インジゴ・チオインジゴ染料などを含んだインクを挙げることができる。
【０２６５】
カラーフィルタパターンの形状については、特に限定はなく、ブラックマトリックス形状として一般的なストライプ状であっても、格子状であっても、さらにはデルタ配列状であってもよい。
【０２６６】
本発明においては、図２（ｃ）に示すように、描画工程Ｓ１１０において基板１２上の凹部１６にインク１８の液滴を付与してインク１８の層を形成した後、図２（ｄ）に示すように、予備処理工程Ｓ１１２でインク１８内に含まれる有機溶剤を乾燥して除去してインク残部１８ａとした後に、図２（ｅ）に示すように、このインク残部１８ａに活性エネルギー線を照射する照射工程（以下、第１の硬化工程ともいう）および／またはインク残部を加熱する加熱工程（以下、第２の硬化工程ともいう）からなる硬化工程Ｓ１１４によりインク残部１８ａを重合して画素２０を形成してもよい。また、インク残部の熱重合が開始する温度をＴ℃としたときに、予備処理工程Ｓ１１２において、Ｔ℃未満の温度で予備加熱（以下、予備加熱工程ともいう）を行ってインク１８内に含まれる有機溶剤を強制的に乾燥させて除去してインク残部１８ａとした後に、インク残部１８ａに活性エネルギー線を照射する照射工程および／またはインク残部１８ａをＴ℃以上の温度で加熱する加熱工程によりインク残部１８ａを重合して硬化させて、画素２０を形成してもよい。
【０２６７】
＜第１の硬化工程＞
描画工程Ｓ１１０で形成された少なくとも１色の画素形成のための凹部１６内のインク残部（以下、未硬化画素インクという）１８ａに活性エネルギー線を照射して硬化する工程（第１の硬化工程）を設けることができる。第１の硬化工程では、赤色（Ｒ）、緑色（Ｇ）、および青色（Ｂ）を含む各色のインクを硬化させることにより、硬化した画素２０を形成することができる。硬化は、１色の未硬化画素インク１８ａを形成するごとに行ってもよいし、複数色または全色の未硬化画素インク１８ａを形成した後に行うようにしてもよい。
【０２６８】
第１の硬化工程において、１色または複数色毎に凹部１６内のインク、すなわち未硬化画素インク１８ａを硬化させる場合、硬化させる順序は、特に制限的ではなく、どのような順序でも良い。
また、Ｒ，Ｇ，Ｂなどのインクの硬化は、インクの持つ感光波長に対応する波長領域の活性エネルギー線を発するエネルギー源を用いて重合硬化を促進する露光処理を施すことにより行うことができる。
【０２６９】
エネルギー源としては、例えば、４００〜２００ｎｍの紫外線、遠紫外線、ｇ線、ｈ線、ｉ線、ＫｒＦエキシマレーザ光、ＡｒＦエキシマレーザ光、電子線、Ｘ線、分子線、またはイオンビームなど、既述の重合開始剤が感応するものを適宜選択して用いることができる。具体的には、２５０〜４５０ｎｍ、好ましくは３６５±２０ｎｍの波長領域に属する活性光線を発する光源、例えば、ＬＤ、ＬＥＤ（発光ダイオード）、蛍光灯、低圧水銀灯、高圧水銀灯、メタルハライドランプ、カーボンアーク灯、キセノンランプ、ケミカルランプなどを用いて好適に行うことができる。好ましい光源には、ＬＥＤ、高圧水銀灯、メタルハライドランプが挙げられる。
【０２７０】
活性エネルギー線の照射時間としては、モノマーと重合開始剤との組合せに応じて適宜設定することができるが、例えば、１〜３０秒とすることができる。
【０２７１】
＜第２の硬化工程＞
本発明のカラーフィルタの製造方法においては、赤色（Ｒ）、緑色（Ｇ）、および青色（Ｂ）など所望の色相の未硬化画素インク１８ａを、熱により硬化する工程（第２の硬化工程）を設けることができる。上記のように、第１の硬化工程を設けると共に第２の硬化工程を設けることによって、カラーフィルタ１０の製造効率と表示特性とを両立させことができる。また、第２の硬化工程のみで硬化させてもよい。
【０２７２】
本第２の硬化工程では、隔壁および所望の色相からなる未硬化画素インクを形成し、第１の硬化工程を行った後に、さらに加熱処理（いわゆるベーク処理）を行って、熱による硬化を施すことができる。すなわち、隔壁および光照射により光重合した画素が形成されている基板を、電気炉、乾燥器などに入れて加熱する、あるいは赤外線ランプを照射して加熱することができる。
【０２７３】
このときの加熱温度および加熱時間は、インクジェット用インクの組成や画素の厚みに依存するが、一般に充分な耐溶剤性、耐アルカリ性、および紫外線吸光度を確保する観点から、約１２０℃〜約２５０℃で約１０分〜約１２０分間加熱することが好ましい。
【０２７４】
また、本発明のインクジェット用インクを用いたカラーフィルタの製造方法では、活性エネルギー線の露光および／または熱処理による画素形成用凹部（未硬化画素）内のインクの重合を行う前に、予備処理工程Ｓ１１２として、予備加熱工程を設けても良い。予備加熱工程における加熱温度は特に制限は無いが、未硬化画素インクの熱重合が開始する温度をＴ℃とした場合に、Ｔ℃未満であり、未硬化画素インクの重合が起きない温度が好ましく、５０〜１００℃がより好ましく、６０〜９０℃がさらに好ましい。本予備加熱工程を入れることで、インクジェット法により付与されたインク中の有機溶剤の蒸発が促進され、カラーフィルタを効率的に作製することができる上に、インク残部の粘度が熱により低下するため、より高い流動性が得られ、高い平坦性の画素を有するカラーフィルタを得ることが可能になる。
【０２７５】
上記予備加熱工程は、本発明のごときインク残部が流動性を有するインクであれば、画素内が熱によって重合するインクのみならず、光によって重合するインクにおいても有効である。光によって重合するインクの場合、上述のインクが熱重合を開始する温度Ｔは、熱によって光重合開始剤などが分解して重合反応が開始する温度または、モノマー自体が熱によって分解し、重合反応が開始する温度を意味する。予備加熱工程の時間は特に制限が無いが、１〜５分間行うことが好ましい。
【０２７６】
温度Ｔは、以下のようにして求めることができる。インクを加熱し、加熱によりインクの重合が開始し、インクのゲル化などが観察される温度をＴとする。より具体的には、加熱前のインク粘度に対して、加熱後のインク粘度の上昇が５ｍＰａ・ｓ以上の場合の加熱温度をＴとする。
【０２７７】
本発明のインクを用いたカラーフィルタの製造方法においては、描画工程Ｓ１１０から予備加熱工程（Ｓ１１２）および第１の硬化工程と第２の硬化工程とからなる硬化工程（Ｓ１１４）までの画素形成工程Ｓ１０６を、２４時間以内で行う事が好ましく、１２時間以内で行う事がより好ましく、６時間以内に行う事がさらに好ましい。描画工程Ｓ１１０から、最終の硬化工程（第２の硬化工程）Ｓ１１４までの画素の形成を２４時間以内で行うことにより、画素の面状を向上させることができる。
なお、本発明のカラーフィルタの製造方法においては、画素形成工程Ｓ１０６、すなわち描画工程Ｓ１１０から予備加熱工程（Ｓ１１２）、第１の硬化工程および第２の硬化工程（Ｓ１１４）までを、１色毎に行っても良いし、複数色毎に行っても良いし、または描画工程Ｓ１１０で全色について描画を行い、予備加熱工程（Ｓ１１２）による予備加熱、硬化工程Ｓ１１４による硬化を全色について行っても良い。また、画素形成工程Ｓ１０６を１色または複数色毎に行う場合、形成する画素の色の順序は、特に制限的ではなく、どのような色の順序でも良い。
【０２７８】
＜隔壁形成工程＞
本発明のカラーフィルタの製造方法では、上述した画素形成工程Ｓ１０６において、図２（ｃ）〜（ｅ）に示すように、基板１２上に形成された隔壁１４により囲まれた凹部１６に、インクジェット法により本発明のインクジェット用インク１８の液滴を付与して画素２０が形成される。
この隔壁１４は、特に制限的ではなく、公知の隔壁を用いることができ、どの様なものでもよいが、カラーフィルタを作製する場合は、ブラックマトリクスの機能を持った遮光性を有する隔壁であることが好ましい。
そのため、図１に示す例では、隔壁形成工程Ｓ１０２において、図２（ｂ）に示すように、図２（ａ）に示す基板１２上に、このようなブラックマトリクスの機能を持つ遮光性のある隔壁１４を形成する。
【０２７９】
なお、この隔壁１４は、公知のカラーフィルタ用ブラックマトリクスと同様の素材を用い、同様の公知の方法により作製することができる。例えば、特開２００７−１９３０９０号公報の段落番号［０１０８］〜［０１２６］や、特開２００５−３８６１号公報の段落番号[００２１]〜[００７４]や、特開２００４−２４００３９号公報の段落番号[００１２]〜[００２１]に記載のブラックマトリクス（いわゆる樹脂ブラックマトリックス）や、特開２００６−１７９８０号公報の段落番号[００１５]〜[００２０]や、特開２００６−１０８７５号公報の段落番号[０００９]〜[００４４]に記載のインクジェット用ブラックマトリクスなどが挙げられる。また、隔壁１４は、ブラックマトリクス機能と隔壁機能とを別々に持つ層からなる２層構造であっても良い。例えば、特開２００４−３６１４９１号公報の段落番号［００５４］〜［００５７］や、特開２００４−２９５０３９号公報の段落番号[００６７]〜[００６９]や、特開２００６−８６１２８号公報の段落番号[００６８]〜[００６９]、[０１０３]、[０１０９]〜[０１１０]に記載の金属遮光膜とその上に形成された樹脂製、好ましくは、撥液性の樹脂製の隔壁（バンク）層とからなる２層構造であっても良い。
本発明法では、上述した公知の作製方法の中でも、コスト削減の観点から感光性樹脂転写材料を用いることが好ましい。感光性樹脂転写材料は、仮支持体上に少なくとも遮光性を有する樹脂層を設けたものであり、基板に圧着して、遮光性を有する樹脂層を基板に転写することができる。
【０２８０】
感光性樹脂転写材料は、特開平５−７２７２４号公報に記載されている感光性樹脂転写材料、すなわち一体型となったフイルムを用いて形成することが好ましい。該一体型フイルムの構成の例としては、仮支持体／熱可塑性樹脂層／中間層／感光性樹脂層（本発明において「感光性樹脂層」とは光照射により硬化しうる樹脂をいい、それが遮光性を有するときには「遮光性を有する樹脂層」ともいい、目的の色に着色されているときには「着色樹脂層」ともいう。）／保護フイルムを、この順に積層した構成が挙げられる。感光性樹脂転写材料を構成する仮支持体、熱可塑性樹脂層、中間層、保護フィルムや、転写材料の作製方法については、特開２００５−３８６１号公報の段落番号[００２３]〜[００６６]や特開２００７−１９３０９０号公報の段落番号［０１０８］〜［０１２６］に記載のものが好適なものとして挙げられる。
【０２８１】
また、このような隔壁１４は、インクジェット用インクの混色を防ぐために、撥インク処理を施してもよい。
このため、図１に示す例では、隔壁形成工程Ｓ１０２の後、撥液処理工程Ｓ１０４において、図２（ｂ）に示す基板１２上の隔壁１４に、撥液処理、すなわち撥インク処理を施す。
なお、このような撥インク処理としては、例えば、特開２００７−１８７８８４号公報の段落番号［００８６］〜［００８７］に記載された撥インク処理方法、具体的には、（１）撥インク性物質を隔壁に練りこむ方法（例えば、特開２００５−３６１６０号公報参照）、（２）撥インク層を新たに設ける方法（例えば、特開平５−２４１０１１号公報参照）、（３）プラズマ処理により撥インク性を付与する方法（例えば、特開２００２−６２４２０号公報参照）、（４）隔壁の壁上面に撥インク材料を塗布する方法（例えば、特開平１０−１２３５００号公報参照）、などが挙げられ、特に（３）基板上に形成された隔壁にプラズマによる撥インク化処理を施す方法が好ましい。
【０２８２】
これらの他、本発明法に適用可能な撥インク処理方法として、特開２００４−３６１４９１号公報の段落番号［００５８］に記載された撥インク処理方法（例えば、特開平９−２０３８０３号公報、特開平９−２３０１２９号公報および特開平９−２３０１２７号公報参照）や、特開２００６−８６１２８号公報の段落番号［００７４］〜［００７５］、［０１１１］〜［０１１８］、［０１３０］に記載された撥インク処理方法などを挙げることができる。
なお、上述した例では、基板１２上の隔壁１４に撥インク処理を施しているが、本発明はこれに限定されず、同時に基板１２上の凹部１６内に親インク処理を施しても良い。
なお、隔壁１４が撥インク性を備えている場合には、撥液処理工程Ｓ１０４は不要であるが、その場合においても、基板１２上の凹部１６内に親インク処理を施しても良い。
【０２８３】
図２（ｅ）に示すように、基板１２上に隔壁１４および画素２０を形成して、カラーフィルタ１０を作製した後には、耐性向上の目的で、図２（ｆ）に示すように、画素２０および隔壁の１４の全面を覆うように保護層としてオーバーコート層２２を形成することができる。オーバーコート層２２は、Ｒ，Ｇ，Ｂなどの画素２０および隔壁１４を保護すると共に表面を平坦にすることができる。但し、工程数が増える点からは設けないことが好ましい。オーバーコート層２２は、樹脂（ＯＣ剤）を用いて構成することができ、樹脂（ＯＣ剤）としては、アクリル系樹脂組成物、エポキシ樹脂組成物、ポリイミド樹脂組成物などが挙げられる。中でも、可視光領域での透明性で優れており、インクジェット用インクの樹脂成分が通常アクリル系樹脂を主成分としており、密着性に優れることから、アクリル系樹脂組成物が望ましい。オーバーコート層の例として、特開２００３−２８７６１８号公報の段落番号［００１８］〜［００２８］に記載のものや、オーバーコート剤の市販品として、ＪＳＲ社製のオプトマーＳＳ６６９９Ｇが挙げられる。
【０２８４】
本発明のカラーフィルタは、さらに透明導電膜として、酸化インジウムスズ（ＩＴＯ）層を有していてもよい。ＩＴＯ層の形成方法としては、例えば、インライン低温スパッタ法や、インライン高温スパッタ法、バッチ式低温スパッタ法、バッチ式高温スパッタ法、真空蒸着法、およびプラズマＣＶＤ法などが挙げられ、特にカラーフィルタに対するダメージを少なくするため、低温スパッタ法が好ましく用いられる。
【０２８５】
本発明のカラーフィルタは、例えば、液晶ディスプレイ、テレビ、パーソナルコンピュータ、液晶プロジェクタ、ゲーム機、携帯電話などの携帯端末、デジタルカメラ、カーナビなどの画像表示、特にカラー画像表示の用途に特に制限なく好適に適用できる。
また、本発明のカラーフィルタは、電子ペーパや有機ＥＬ素子デバイスなどの画像表示デバイス、特にカラー画像表示デバイスにも適用可能である。
【０２８６】
以上、本発明のインクジェット用インク、カラーフィルタおよびその製造方法、ならびにそれを用いる液晶ディスプレイおよび画像表示デバイスついて、種々の実施形態や実施例を挙げて詳細に説明したが、本発明は、上記実施例や実施形態には限定されず、本発明の要旨を逸脱しない範囲において、各種の改良や変更を行ってもよいのは、もちろんのことである。
【実施例】
【０２８７】
以下に実施例を挙げて本発明を更に具体的に説明する。以下の実施例に示す材料、試薬、割合、機器、操作等は本発明の範囲から逸脱しない限り適宜変更することができる。従って、本発明の範囲は以下に示す具体例に限定されるものではない。なお、以下の実施例において、特に断りのない限り「％」および「部」は、「質量％」および「質量部」を表し、分子量とは重量平均分子量のことを示す。
【０２８８】
（隔壁形成用の濃色組成物の調製）
濃色組成物Ｋ１は、まず表１に記載の量のＫ顔料分散物１、プロピレングリコールモノメチルエーテルアセテートをはかり取り、温度２４℃（±２℃）で混合して１５０ｒｐｍで１０分間攪拌し、さらに攪拌しながら、表１に記載の量のメチルエチルケトン、バインダー２、ハイドロキノンモノメチルエーテル、ＤＰＨＡ液、２，４−ビス（トリクロロメチル）−６−［４’−（Ｎ，Ｎ−ビスジエトキシカルボニルメチル）アミノ−３’−ブロモフェニル］−ｓ−トリアジン、界面活性剤１をはかり取り、温度２５℃（±２℃）でこの順に添加して、温度４０℃（±２℃）で１５０ｒｐｍで３０分間攪拌することによって得られた。なお、表１に記載の量は質量部であり、詳しくは以下の組成となっている。
【０２８９】
＜Ｋ顔料分散物１＞
・カーボンブラック（デグッサ社製  Ｎｉｐｅｘ３５）                    １３．１％
・分散剤（下記化合物１）                                              ０．６５％
・ポリマー（ベンジルメタクリレート／メタクリル酸＝７２／２８モル比
のランダム共重合物、分子量３．７万）                                  ６．７２％
・プロピレングリコールモノメチルエーテルアセテート                  ７９．５３％
【０２９０】
【化６４】
2010037545.tif 000065
【０２９１】
＜バインダー２＞
・ポリマー（ベンジルメタクリレート／メタクリル酸＝７８／２２モル比
のランダム共重合物、分子量３．８万）                                      ２７％
・プロピレングリコールモノメチルエーテルアセテート                        ７３％
【０２９２】
＜ＤＰＨＡ液＞
・ジペンタエリスリトールヘキサアクリレート
（重合禁止剤ＭＥＨＱ  ５００ｐｐｍ含有、日本化薬(株)製、商品名：ＫＡＹＡＲＡＤ
ＤＰＨＡ）                                                                ７６％
・プロピレングリコールモノメチルエーテルアセテート                        ２４％
【０２９３】
＜界面活性剤１＞
・下記構造物１                                                            ３０％
・メチルエチルケトン                                                      ７０％
【０２９４】
【化６５】
2010037545.tif 000066
【０２９５】
【表１】
2010037545.tif 000067
【０２９６】
（隔壁の形成）
無アルカリガラス基板を、ＵＶ洗浄装置で洗浄後、洗浄剤を用いてブラシ洗浄し、更に超純水で超音波洗浄した。基板を１２０℃３分熱処理して表面状態を安定化させた。
基板を冷却し２３℃に温調後、スリット状ノズルを有すガラス基板用コーター（エフ・エー・エス・アジア社製、商品名：ＭＨ−１６００）にて、上述のように調製した濃色組成物Ｋ１を塗布した。引き続きＶＣＤ（真空乾燥装置、東京応化工業社製）で３０秒間、溶媒の一部を乾燥して塗布層の流動性を無くした後、１２０℃３分間プリベークして膜厚２．３μｍの濃色組成物層Ｋ１を得た。
超高圧水銀灯を有すプロキシミティー型露光機（日立ハイテク電子エンジニアリング株式会社製）で、基板とマスク（画像パターンを有す石英露光マスク）を垂直に立てた状態で、露光マスク面と濃色感光層Ｋ１の間の距離を２００μｍに設定し、窒素雰囲気下、露光量３００ｍＪ／ｃｍ２で隔壁幅２０μｍ、スペース幅１００μｍにパターン露光した。
【０２９７】
次に、純水をシャワーノズルにて噴霧して、濃色組成物層Ｋ１の表面を均一に湿らせた後、ＫＯＨ系現像液（ノニオン界面活性剤含有、商品名：ＣＤＫ−１、富士フイルムエレクトロニクスマテリアルズ（株）製を１００倍希釈したもの）を２３℃８０秒、フラットノズル圧力０．０４ＭＰａでシャワー現像しパターニング画像を得た。引き続き、超純水を、超高圧洗浄ノズルにて９．８ＭＰａの圧力で噴射して残渣除去を行い、大気下にて露光量２５００ｍＪ／ｃｍ２にて基板の濃色組成物層Ｋ１が形成された面側からポスト露光を行って、オーブンにて２４０℃で５０分加熱し、膜厚２．０μｍ、光学濃度４．０、１００μｍ幅の開口部を有するストライプ状の隔壁を得た。
【０２９８】
（撥インク化プラズマ処理）
隔壁を形成した基板に、カソードカップリング方式平行平板型プラズマ処理装置を用いて、以下の条件にて撥インク化プラズマ処理を行った。
使用ガス  ：ＣＦ４
ガス流量  ：８０ｓｃｃｍ
圧力      ：４０Ｐａ
ＲＦパワー：５０Ｗ
処理時間  ：３０ｓｅｃ
【０２９９】
＜特定染料Ｉ−２０Ｍの合成＞
以下の化合物Ｉ−２０（２．０ｇ）をＮ，Ｎ−ジメチルアセトアミド５０ｍＬに溶解させた。さらに、ジターシャリーペンチルハイドロキノン４ｍｇ、トリエチルベンジルアンモニウムクロライド０．２ｇ（和光純薬製）、グリシジルメタクリレート０．６０ｇ（東京化成製）を添加し、窒素気流下、８０℃、２時間反応させた。反応終了後、テトラヒドロフラン／蒸留水で抽出を行い、テトラヒドロフラン層を抽出、シリカゲルカラムで精製した。その後、真空乾燥を行い、特定染料Ｉ−２０Ｍを得た。
【０３００】
【化６６】
2010037545.tif 000068
【０３０１】
【化６７】
2010037545.tif 000069
【０３０２】
＜他の染料の合成＞
特定染料Ｉ−２０Ｍと同様の合成方法により、化合物ｄ−４、化合物ｃ−２０、化合物Ａ−１３、化合物Ｍ−３０、化合物Ｉ−２２、および化合物ＩＩＩａ―３を原料にして、特定染料ｄ−４Ｍ、特定染料ｃ−２０Ｍ，特定染料Ａ−１３Ｍ、特定染料Ｍ−３０Ｍ、特定染料Ｉ−２２Ｍ、および特定染料ＩＩＩａ−３Ｍを合成した。なお、化合物ｄ−４は、上述の一般式（３−ｄ）で表される例示構造の化合物に該当する。化合物ｃ−２０は、上述の一般式（３−ｃ）で表される例示構造の化合物に該当する。化合物Ａ−１３は、上述の一般式（２）で表される例示構造の化合物に該当する。化合物Ｍ−３０、化合物Ｉ−２２、および化合物ＩＩＩａ―３は、それぞれ以下に示す化合物である。
【０３０３】
【化６８】
2010037545.tif 000070
【０３０４】
【化６９】
2010037545.tif 000071
【０３０５】
【化７０】
2010037545.tif 000072
【０３０６】
【化７１】
2010037545.tif 000073
【０３０７】
【化７２】
2010037545.tif 000074
【０３０８】
【化７３】
2010037545.tif 000075
【０３０９】
【化７４】
2010037545.tif 000076
【０３１０】
【化７５】
2010037545.tif 000077
【０３１１】
【化７６】
2010037545.tif 000078
【０３１２】
＜赤色（Ｒ）用インク＞の調製法
下記の成分を混合し、１時間撹拌した。その後、平均孔径０．２５μｍのミクロフィルターで減圧濾過して赤色用インク液（Ｒ実施例１〜３、Ｒ比較例１〜Ｒ比較例２、および実施例Ｒ−１〜Ｒ−６、比較例ＲＣ−１〜ＲＣ−４）を調製した。
【０３１３】
用いた素材の詳細を以下に示す。
＜有機溶剤＞
・シクロヘキサノン（和光純薬社製）
・ベンジルアルコール（和光純薬製）
・ジエチレングリコールモノメチルエーテル（和光純薬製）
＜重合性モノマー＞
・ＤＰＣＡ−６０（日本化薬社製（ＫＡＹＡＲＡＤ  ＤＰＣＡ−６０））
：カプロラクトン変性ジペンタエリスリトールヘキサアクリレート
・ＤＰＨＡ（日本化薬社製（ＫＡＹＡＲＡＤ  ＤＰＨＡ）
：ジペンタエリスリトールヘキサアクリレート
・ＡＤ−ＴＭＰ（新中村化学社製（ＮＫエステルＡＤ−ＴＭＰ）
：ジトリメチロールプロパンテトラアクリレート
＜界面活性剤＞
・ＫＦ−３５３（信越シリコーン社製）：ポリエーテル変性シリコーンオイル
・Ｆ７８１−Ｆ（大日本インキ化学工業製（メガファックＦ７８１Ｆ））
＜特定染料：一般式（１）で表される染料＞
・Ｍ−１Ｍ
・Ｙ−１Ｍ
・Ｙ−２Ｍ
・Ｙ−３Ｍ
＜一般染料：一般式（１）以外の染料＞
・Ｍ−１（上記化合物Ｉ−２０に該当）
・Ｙ−１（例示化合物ｄ−４に該当）
・Ｙ−２
・Ｙ−３
【０３１４】
Ｒ用特定染料
【化７７】
2010037545.tif 000079
【０３１５】
Ｒ用一般染料
【化７８】
2010037545.tif 000080
【０３１６】
【化７９】
2010037545.tif 000081
【０３１７】
【化８０】
2010037545.tif 000082
【０３１８】
【表２】
2010037545.tif 000083
【０３１９】
【表３】
2010037545.tif 000084
【０３２０】
＜緑色（Ｇ）用インク＞の調製法
下記の成分を混合し、１時間撹拌した。その後、平均孔径０．２５μｍのミクロフィルターで減圧濾過して緑色用インク液（Ｇ実施例１〜３、Ｇ比較例１〜２、および実施例Ｇ−１〜Ｇ−６、比較例ＧＣ−１〜ＧＣ−４）を調製した。
【０３２１】
用いた素材の詳細を以下に示す。有機溶剤、モノマー、界面活性剤は、上記赤色（Ｒ）用インクの調製に使用した各材料と同じ材料を使用した。
＜有機溶剤＞
・ＤＣＨＭＡ：ジシクロヘキシルメチルアミン
＜特定染料＞
・Ｃ−１Ｍ（例示化合物Ａ−１３Ｍに該当）
・Ｙ−４Ｍ（例示化合物ｃ−２０Ｍに該当）
・Ｙ−５Ｍ（特開２００５−２５０４２０記載例示化合物Ｙ−６７に該当）
・Ｙ−６Ｍ
＜一般染料＞
・Ｃ−１（例示化合物Ａ−１３に該当）
・Ｙ−４（例示化合物ｃ−２０に該当）
・Ｙ−５
・Ｙ−６
【０３２２】
Ｇ用特定染料
【化８１】
2010037545.tif 000085
【０３２３】
Ｇ用一般染料
【化８２】
2010037545.tif 000086
【０３２４】
【化８３】
2010037545.tif 000087
【０３２５】
【化８４】
2010037545.tif 000088
【０３２６】
【表４】
2010037545.tif 000089
【０３２７】
【表５】
2010037545.tif 000090
【０３２８】
＜青色（Ｂ）用インク＞の調製法
下記の成分を混合し、１時間撹拌した。その後、平均孔径０．２５μｍのミクロフィルターで減圧濾過して青色用インク液（Ｂ実施例１〜３、Ｂ比較例１〜２、および実施例Ｂ−１〜Ｂ−６、比較例ＢＣ−1〜ＢＣ−４）を調製した。
【０３２９】
用いた素材の詳細を以下に示す。有機溶剤、モノマー、界面活性剤は、上記赤色（Ｒ）用インクの調製に使用した各材料と同じ材料を使用した。
＜特定染料＞
・Ｃ−３Ｍ
・Ｍ−２Ｍ（例示化合物Ｍ−３０Ｍに該当）
・Ｍ−３Ｍ（例示化合物Ｉ−２２Ｍに該当）
・Ｍ−４Ｍ（例示化合物ＩＩＩａ−３Ｍに該当）
・Ｍ−５Ｍ
＜一般染料＞
・Ｃ−２
・Ｃ−３
・Ｍ−２（例示化合物Ｍ−３０に該当）
・Ｍ−３（例示化合物Ｉ−２２に該当）
・Ｍ−４（例示化合物ＩＩＩａ−３に該当）
・Ｍ−５
【０３３０】
Ｂ用特定染料
【化８５】
2010037545.tif 000091
【０３３１】
Ｂ用一般染料
【化８６】
2010037545.tif 000092
【０３３２】
【化８７】
2010037545.tif 000093
【０３３３】
【化８８】
2010037545.tif 000094
【０３３４】
【表６】
2010037545.tif 000095
【０３３５】
【表７】
2010037545.tif 000096
【０３３６】
（粘度、表面張力の測定）
得られたインクを２５℃に調温したまま、東機産業（株）製Ｅ型粘度計（ＲＥ−８０Ｌ）を用いて以下の条件で測定した。
（測定条件）
・使用ロータ：１°  ３４’×Ｒ２４
・測定時間  ：２分間
・測定温度  ：２５℃
【０３３７】
得られたインクを２５℃に調温したまま、協和界面科学（株）製表面張力計（ＦＡＣＥ  ＳＵＲＦＡＣＥ  ＴＥＮＳＩＯＭＥＴＥＲ  ＣＢＶＢ−Ａ３）を用いて測定した。
【０３３８】
＜インクジェット方式による画素部の形成＞
次に上述のＲ実施例１、Ｇ実施例１、Ｂ実施例１に記載のインクを用いて、上記で得られた基板の隔壁で区分された領域内（凸部で囲まれた凹部）に、Ｄｉｍａｔｉｘ社製インクジェットヘッド（ＳＥ−１２８、ヘッド温度２８℃）により所望の濃度になるまでインクの吐出を行い、１００℃ホットプレートで２分乾燥させた。さらに２２０℃オーブン中で３０分ベークすることで隔壁、画素ともに完全に硬化させ、Ｒ、Ｇ、Ｂのパターンからなるカラーフィルタを作製した。なお、他のＲ実施例２〜３、Ｇ実施例２〜３、Ｂ実施例２〜４のそれぞれのインクについても、同様の方法により、それらインクを用いてカラーフィルタを作製した。
【０３３９】
＜耐薬品性評価方法＞
上述の各色インクをガラス基板上に上記インクジェット法あるいはスピンコート法によってベタ膜を形成して、カラーフィルタ形成と同じようにプリベーク（予備加熱）（温度１００℃、２分）、ポストベーク（後加熱）（温度２２０℃、３０分）を行い、膜厚２ｕｍ（μｍ）を形成した。
この各色インクがコートされたガラス基板を、評価を行う薬品（２−ブタノン、エタノール、５％硫酸水溶液、５％水酸化ナトリウム水溶液）中に２０分間浸し、その前後の色相を測定した。色相の測定は、ＵＶ−５６０（日本分光社製）を用い、評価前後ΔＥａｂ＜５を後述評価結果一覧の○の定義とした。ΔＥａｂが５以上１５未満を△と、ΔＥａｂが１５以上を×とした。結果を以下の表８，９に示す。なお、ΔＥａｂは、ＣＩＥ１９７６（Ｌ＊，ａ＊，ｂ＊）空間表色系による以下の色差公式から求められる値である（日本色彩学会編 新編色彩科学ハンドブック（昭和６０年）ｐ．２６６）。
ΔＥａｂ＝｛（ΔＬ）2＋（Δａ）2＋（Δｂ）2｝1/2
【０３４０】
＜耐熱性評価方法＞
上述の各色インクをガラス基板上に上記インクジェット法あるいはスピンコート法によってベタ膜を形成して、カラーフィルタ形成と同じようにプリベーク（予備加熱）（温度１００℃、２分）、ポストベーク（後加熱）（温度２２０℃、３０分）を行い、膜厚２ｕｍ（μｍ）を形成した。
この各色インクがコートされたガラス基板を、２３０℃に加熱したオーブン内に入れ、１時間放置した後、色相を測定した。色相の測定は、ＵＶ−５６０（日本分光社製）を用い、評価前後のΔＥａｂ＜５を後述評価結果一覧の○の定義とした。ΔＥａｂが５以上１５未満を△と、ΔＥａｂが１５以上を×とした。結果を以下の表８および表９に示す。
【０３４１】
【表８】
2010037545.tif 000097
【０３４２】
【表９】
2010037545.tif 000098
【０３４３】
上記結果に示すように本願に係るインクジェットインクを用いて作製した着色膜は、各種溶媒に対して優れた耐性、および耐熱性を示すことがわかった。
例えば、重合性基を持つ特定染料ｄ−４Ｍを使用したＲ実施例１と、重合性基を持たない染料ｄ−４（一般式（Ａ）で表される化合物）を使用したＲ比較例１とでは、使用した染料の種類のみが異なり、両者を比較すると、Ｒ実施例１においてより優れた耐熱性および耐薬品性を示すことがわかった。その他の場合、例えば、染料のみが異なるＲ実施例２とＲ比較例２を比較した場合でも、Ｒ実施例２でより優れた効果が得られていることがわかった。
【符号の説明】
【０３４４】
１０  カラーフィルタ
１２  基板
１４  隔壁
１６  凹部
１８  インク
１８ａ  未硬化画素インク
２０  画素
２２  保護膜
【図１】
2010037545.tif 000112
【図２】
2010037545.tif 000113